(57)【要約】【課題】従来と比較して小さいずれで複数枚のディスクが挿入されたときでもディスクが複数枚挿入されたと判定する複数ディスク判定装置を提供すること。【解決手段】複数ディスク判定装置１２０は、基板１３０及び基板１４０によって形成された挿入穴の幅方向の端部を通過するディスクの存在を軸部１５２ａ及び軸部１５３ａの移動量に基づいて検出する接触検出部１６０と、接触検出部１６０によって存在が検出されている円形ディスク２１１の透光領域２１１ｂに対向する位置に配置された発光素子を有し発光素子が発した光がディスクの遮光領域で遮断されることによってディスクの存在を検出する光検出部１７１と、接触検出部１６０及び光検出部１７１が同時にディスクの存在を検出した場合にディスクが挿入穴に複数枚挿入されたと判定する処理部とを備えるようにする。【選択図】      図３
2004185778.tif 000002
【特許請求の範囲】
【請求項１】
透光領域及び遮光領域が形成されたディスクが挿入される挿入穴が形成されたディスク挿入部と、前記ディスクと接触状態を維持して移動するディスク接触部と、前記ディスク接触部の移動量に基づいて前記挿入穴の幅方向の端部を通過する前記ディスクの存在を検出する接触検出手段と、前記ディスクの存在を前記接触検出手段が検出しているときの前記ディスクの透光領域に対向する位置に配置された透光領域発光部を有し前記透光領域発光部が発した光が前記ディスクの遮光領域で遮断されることによって前記ディスクの存在を検出する透光領域光検出手段と、前記接触検出手段及び前記透光領域光検出手段が同時に前記ディスクの存在を検出した場合に前記挿入穴に前記ディスクが複数枚挿入されたと判定する判定手段とを備えたことを特徴とする複数ディスク判定装置。
【請求項２】
前記判定手段は、前記接触検出手段が前記ディスクの存在を複数回検出した場合に前記ディスクが前記挿入穴に複数枚挿入されたと判定することを特徴とする請求項１に記載の複数ディスク判定装置。
【請求項３】
前記ディスク接触部は、前記挿入穴の幅方向の一端部側に配置されて前記ディスクと接触状態を維持して移動する第１接触部と、前記挿入穴の幅方向の他端部側に配置されて前記ディスクと接触状態を維持して移動する第２接触部とを備えたことを特徴とする請求項１に記載の複数ディスク判定装置。
【請求項４】
前記接触検出手段は、前記第１接触部を有した第１接触部材と、前記第２接触部を有した第２接触部材と、前記第１接触部材及び前記第２接触部材に係合して前記第１接触部材及び前記第２接触部材の移動に従って移動する係合部材と、前記ディスクが前記挿入穴の幅方向の端部を通過しているときの前記係合部材の存在を検出する位置に配置された検出器とを有したことを特徴とする請求項３に記載の複数ディスク判定装置。
【請求項５】
請求項１から請求項４までの何れかに記載の複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように前記搬送部を制御する制御手段とを備えたことを特徴とするディスク搬送装置。
【請求項６】
前記制御手段は、前記ディスクが前記挿入穴に複数枚挿入されたと前記判定手段が判定した場合に、前記搬送部による前記ディスクの搬入を停止して前記搬送部に前記ディスクを搬出させるように制御することを特徴とする請求項５に記載のディスク搬送装置。
【請求項７】
前記挿入穴の幅方向の端部に配置されて前記ディスクが通過する通過溝が形成されたディスク通過部を備え、
前記通過溝を通過する前記ディスクの厚み方向における前記通過溝の長さは、前記ディスクの厚みの２倍より小さいことを特徴とする請求項５に記載のディスク搬送装置。
【請求項８】
前記制御手段は、予め設定された基準時からの時間が予め設定された時間以上になった場合に前記搬送部による前記ディスクの搬入を停止するように制御することを特徴とする請求項７に記載のディスク搬送装置。
【請求項９】
前記制御手段は、予め設定された基準時からの時間が予め設定された時間以上になった場合に、前記搬送部による前記ディスクの搬入を停止して前記搬送部に前記ディスクを搬出させるように制御することを特徴とする請求項８に記載のディスク搬送装置。
【請求項１０】
前記透光領域発光部は、外径が前記ディスクより小さい小径ディスクの存在を前記接触検出手段が検出しているときの前記小径ディスクの遮光領域に対向する位置に配置されたことを特徴とする請求項５に記載のディスク搬送装置。
【請求項１１】
請求項３又は請求項４に記載の複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように前記搬送部を制御する制御手段と、前記挿入穴の幅方向の端部側に配置された端側発光部を有し前記端側発光部が発した光が前記ディスクの遮光領域で遮断されることによって前記ディスクの存在を検出する端側光検出手段とを備え、
前記透光領域発光部は、外径が前記ディスクより小さい小径ディスクの存在を前記接触検出手段が検出しているときの前記小径ディスクの透光領域に対向する位置に配置され、
前記端側発光部は、前記小径ディスクの存在を前記接触検出手段が検出しているときの前記小径ディスクの遮光領域に対向せず、前記ディスクの存在を前記接触検出手段が検出しているときの前記ディスクの遮光領域に対向する位置に配置され、
前記制御手段は、前記接触検出手段が前記ディスクの存在を検出したときに前記透光領域光検出手段及び前記端側光検出手段が前記ディスクの存在を検出しない場合に、前記搬送部による前記ディスクの搬入を停止するように制御することを特徴とするディスク搬送装置。
【請求項１２】
前記制御手段は、前記接触検出手段が前記ディスクの存在を検出したときに前記透光領域光検出手段及び前記端側光検出手段が前記ディスクの存在を検出しない場合に、前記搬送部による前記ディスクの搬入を停止して前記搬送部に前記ディスクを搬出させるように制御することを特徴とする請求項１１に記載のディスク搬送装置。
【請求項１３】
前記制御手段は、前記接触検出手段が前記ディスクの存在を検出せずに前記透光領域光検出手段が前記ディスクの存在を複数回検出した場合に前記搬送部による前記ディスクの搬入を停止するように制御することを特徴とする請求項５に記載のディスク搬送装置。
【請求項１４】
前記制御手段は、前記接触検出手段が前記ディスクの存在を検出せずに前記透光領域光検出手段が前記ディスクの存在を複数回検出した場合に、前記搬送部による前記ディスクの搬入を停止して前記ディスクを搬出させるように制御することを特徴とする請求項１３に記載のディスク搬送装置。
【請求項１５】
前記挿入穴の幅方向の端部側に配置された端側発光部を有し前記端側発光部が発した光が前記ディスクの遮光領域で遮断されることによって前記ディスクの存在を検出する端側光検出手段と、前記端側発光部に対して前記ディスクの挿入方向の下流側に配置された挿入側発光部を有し前記挿入側発光部が発した光が前記ディスクの遮光領域で遮断されることによって前記ディスクの存在を検出する挿入側光検出手段とを備え、
前記制御手段は、前記端側光検出手段が前記ディスクの存在を検出せずに前記挿入側光検出手段が前記ディスクの存在を検出した場合に前記搬送部による前記ディスクの搬入を停止するように制御することを特徴とする請求項５に記載のディスク搬送装置。
【請求項１６】
前記制御手段は、前記端側光検出手段が前記ディスクの存在を検出せずに前記挿入側光検出手段が前記ディスクの存在を検出した場合に、前記搬送部による前記ディスクの搬入を停止して前記搬送部に前記ディスクを搬出させるように制御することを特徴とする請求項１５に記載のディスク搬送装置。
【請求項１７】
請求項３に記載の複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように制御する制御手段とを備え、
前記接触検出手段は、前記第１接触部を有した第１接触部材と、前記第２接触部を有した第２接触部材と、前記第１接触部材及び前記第２接触部材に係合して前記第１接触部材及び前記第２接触部材の移動に従って移動する係合部材と、前記第１接触部及び前記第２接触部のうちの一方だけが移動するときに前記係合部材に係合することによって前記係合部材の移動を制限する移動制限部とを有したことを特徴とするディスク搬送装置。
【請求項１８】
前記接触検出手段は、前記ディスク接触部を有した接触部材と、前記幅方向に略直交する方向への前記ディスク接触部の移動を前記接触部材に係合することによって制限する直交方向移動制限部とを備えたことを特徴とする請求項５に記載のディスク搬送装置。
【請求項１９】
前記ディスク接触部に対して前記ディスクの挿入方向の下流側に配置された挿入側発光部を有し前記挿入側発光部が発した光が前記ディスクの遮光領域で遮断されることによって前記ディスクの存在を検出する挿入側光検出手段とを備え、
前記制御手段は、予め設定された基準時からの時間が予め設定された時間以上になったときに前記挿入側光検出手段が前記ディスクの存在を検出しなかった場合に前記搬送部による前記ディスクの搬入を停止するように制御することを特徴とする請求項１７又は請求項１８に記載のディスク搬送装置。
【請求項２０】
前記制御手段は、予め設定された基準時からの時間が予め設定された時間以上になったときに前記挿入側光検出手段が前記ディスクの存在を検出しなかった場合に、前記搬送部による前記ディスクの搬入を停止して前記搬送部に前記ディスクを搬出させるように制御することを特徴とする請求項１９に記載のディスク搬送装置。
【請求項２１】
前記制御手段は、前記接触検出手段が前記ディスクの存在を検出したときに前記透光領域光検出手段が前記ディスクの存在を検出しなかった場合に、前記搬送部に前記ディスクを搬入させるように制御することを特徴とする請求項５に記載のディスク搬送装置。
【請求項２２】
前記制御手段は、前記接触検出手段が前記ディスクの存在を検出したときに前記透光領域光検出手段が前記ディスクの存在を検出しないで前記端側光検出手段が前記ディスクの存在を検出する場合に、前記搬送部に前記ディスクを搬入させるように制御することを特徴とする請求項１１に記載のディスク搬送装置。
【請求項２３】
前記搬送部は、前記ディスク接触部及び前記透光領域発光部に対して前記ディスクの挿入方向の下流側に配置されたことを特徴とする請求項５に記載のディスク搬送装置。
【請求項２４】
前記搬送部は、前記ディスク接触部、前記透光領域発光部及び前記端側発光部に対して前記ディスクの挿入方向の下流側に配置されたことを特徴とする請求項１１に記載のディスク搬送装置。
【請求項２５】
請求項５から請求項２４までの何れかに記載のディスク搬送装置を備えたことを特徴とするディスク装置。
【発明の詳細な説明】
【０００１】
【発明の属する技術分野】
本発明は、ディスクが複数枚挿入されたことを判定する複数ディスク判定装置に関する。
【０００２】
【従来の技術】
従来、ディスクが複数枚挿入されたことを判定する複数ディスク判定装置を備えたディスク搬送装置として、図４６及び図４７に示すようなディスク搬送装置９００が知られている（特許文献１参照。）。
【０００３】
ディスク搬送装置９００は、図示していない筐体と、筐体内に収納されてディスクと接触してディスクを搬送する搬送ローラ９１１と、筐体内に収納された複数ディスク判定装置９２０とを備えており、車載用の音響機器に備えられている。
【０００４】
複数ディスク判定装置９２０は、ディスク搬送装置９００の筐体に固定された基板９３１と、基板９３１に回動可能に支持された基板９３２とを備えている。ここで、基板９３１及び基板９３２は、ディスクが挿入される挿入穴９３０を間に形成している。また、基板９３２は、搬送ローラ９１１がディスクを搬送する方向に略直交する矢印９０１ａ及び矢印９０１ｂで示す方向に延在した穴９３２ａ及び穴９３２ｂと、穴９３２ｃとが形成されている。
【０００５】
また、複数ディスク判定装置９２０は、穴９３２ａに挿入された突起部９４１と、穴９３２ｂに挿入された突起部９４２と、挿入穴９３０内に突出した突起部９４３とを有し、穴９４４が形成され、基板９３２に対して基板９３１側とは反対側から基板９３２に摺動可能に取り付けられた摺動板９４０を備えている。
【０００６】
また、複数ディスク判定装置９２０は、基板９３２及び摺動板９４０に固定されて基板９３２に対して摺動板９４０を矢印９０１ａで示す方向に付勢するバネ９５０と、基板９３２の穴９３２ｃに対向する位置で基板９３１に固定された受光素子９６１と、摺動板９４０の穴９４４及び基板９３２の穴９３２ｃを介して受光素子９６１に対向する位置でディスク搬送装置９００の筐体に固定された発光素子９６２とを備えている。
【０００７】
ここで、発光素子９６２が発した光を受光素子９６１が受けないとき、受光素子９６１の出力は“Ｈｉ”となり、発光素子９６２が発した光を受光素子９６１が受けるとき、受光素子９６１の出力は“Ｌｏ”となるようになっている。
【０００８】
図４７及び図４８に示すような１枚のディスク、即ち、直径が約１２ｃｍである略円形の円形ディスク９９１が矢印９０２ａで示す方向に挿入穴９３０に挿入されたとき、円形ディスク９９１が搬送ローラ９１１と接触する位置まで移動すると、ディスク搬送装置９００は、矢印９０２ａで示す方向に搬送ローラ９１１によって円形ディスク９９１を搬送する。
【０００９】
矢印９０２ａで示す方向にディスク搬送装置９００が円形ディスク９９１を搬送すると、矢印９０１ａで示す方向にバネ９５０によって基板９３２に対して付勢された摺動板９４０は、円形ディスク９９１が突起部９４３に接触することによって、矢印９０１ｂで示す方向に移動した後、矢印９０１ａで示す方向に移動する。
【００１０】
ここで、発光素子９６２が受光素子９６１に向けて発した光は、摺動板９４０及び円形ディスク９９１の少なくとも一方によって一度遮られるので、受光素子９６１の出力は順に“Ｌｏ”、“Ｈｉ”、“Ｌｏ”となる。
【００１１】
図４９に示すような２枚のディスク、即ち、円形ディスク９９１と、直径が約１２ｃｍである略円形の円形ディスク９９２とが矢印９０２ａで示す方向に挿入穴９３０に挿入されたとき、ディスク搬送装置９００は、上述したように、矢印９０２ａで示す方向に円形ディスク９９１及び円形ディスク９９２を搬送する。
【００１２】
矢印９０２ａで示す方向にディスク搬送装置９００が円形ディスク９９１及び円形ディスク９９２を搬送すると、摺動板９４０は、上述したように、円形ディスク９９１が突起部９４３に接触することによって、矢印９０１ｂで示す方向に移動した後、矢印９０１ａで示す方向に移動し、更に円形ディスク９９２が突起部９４３に接触することによって、再び矢印９０１ｂで示す方向に移動する。
【００１３】
ここで、発光素子９６２が受光素子９６１に向けて発した光は、摺動板９４０及び円形ディスク９９１の少なくとも一方によって一度遮られるので、受光素子９６１の出力は順に“Ｌｏ”、“Ｈｉ”、“Ｌｏ”となり、更に摺動板９４０及び円形ディスク９９２の少なくとも一方によって遮られるので、再び“Ｈｉ”となる。
【００１４】
そして、複数ディスク判定装置９２０は、受光素子９６１の出力が順に“Ｌｏ”、“Ｈｉ”、“Ｌｏ”、“Ｈｉ”となったとき、ディスクが複数枚挿入されたと判定し、ディスク搬送装置９００は、ディスクが複数枚挿入されたことが複数ディスク判定装置９２０によって判定されたとき、矢印９０２ａで示す方向とは反対の矢印９０２ｂで示す方向に搬送ローラ９１１によってディスクを搬送し、ディスクを挿入穴９３０から排出していた。
【００１５】
【特許文献１】
特開２０００−１６３８４０号公報（第４頁、第１図）
【００１６】
【発明が解決しようとする課題】
しかしながら、上記従来の複数ディスク判定装置９２０においては、受光素子９６１の出力が順に“Ｌｏ”、“Ｈｉ”、“Ｌｏ”、“Ｈｉ”となったとき、ディスクが複数枚挿入されたと判定していたので、“Ｌｏ”、“Ｈｉ”、“Ｌｏ”、“Ｈｉ”とならない程度に小さいずれで円形ディスク９９１及び円形ディスク９９２が重なっているとき、ディスクが複数枚挿入されたと判定することができないという問題があった。
【００１７】
なお、“Ｌｏ”、“Ｈｉ”、“Ｌｏ”、“Ｈｉ”とならない程度のずれとは、発光素子９６２が受光素子９６１に向けて発した光が、摺動板９４０及び円形ディスク９９１の少なくとも一方によって遮られた後、受光素子９６１によって受けられることなく連続して摺動板９４０及び円形ディスク９９２の少なくとも一方によって遮られる程度のずれのことである。
【００１８】
そこで、本発明は、従来と比較して小さいずれで複数枚のディスクが挿入されたときでもディスクが複数枚挿入されたと判定する複数ディスク判定装置を提供することを目的とする。
【００１９】
【課題を解決するための手段】
上述の課題を解決するために、本発明の複数ディスク判定装置は、透光領域及び遮光領域が形成されたディスクが挿入される挿入穴が形成されたディスク挿入部と、前記ディスクと接触状態を維持して移動するディスク接触部と、前記ディスク接触部の移動量に基づいて前記挿入穴の幅方向の端部を通過する前記ディスクの存在を検出する接触検出手段と、前記ディスクの存在を前記接触検出手段が検出しているときの前記ディスクの透光領域に対向する位置に配置された透光領域発光部を有し前記透光領域発光部が発した光が前記ディスクの遮光領域で遮断されることによって前記ディスクの存在を検出する透光領域光検出手段と、前記接触検出手段及び前記透光領域光検出手段が同時に前記ディスクの存在を検出した場合に前記挿入穴に前記ディスクが複数枚挿入されたと判定する判定手段とを備えた構成を有している。
【００２０】
この構成により、本発明の複数ディスク判定装置は、接触検出手段及び透光領域光検出手段が同時にディスクの存在を検出した場合にディスクが挿入穴に複数枚挿入されたと判定手段が判定するので、従来と比較して小さいずれで複数枚のディスクが挿入されたときでもディスクが複数枚挿入されたと判定することができる。
【００２１】
また、本発明の複数ディスク判定装置は、前記判定手段は、前記接触検出手段が前記ディスクの存在を複数回検出した場合に前記ディスクが前記挿入穴に複数枚挿入されたと判定する構成を有している。
【００２２】
この構成により、本発明の複数ディスク判定装置は、接触検出手段がディスクの存在を複数回検出した場合にディスクが挿入穴に複数枚挿入されたと判定手段が判定するので、接触検出手段がディスクの存在を複数回検出した場合にディスクが挿入穴に複数枚挿入されたと判定手段が判定しない場合と比較して、大きいずれで複数枚のディスクが挿入されたときでもディスクが複数枚挿入されたと判定することができる。
【００２３】
また、本発明の複数ディスク判定装置は、前記ディスク接触部は、前記挿入穴の幅方向の一端部側に配置されて前記ディスクと接触状態を維持して移動する第１接触部と、前記挿入穴の幅方向の他端部側に配置されて前記ディスクと接触状態を維持して移動する第２接触部とを備えた構成を有している。
【００２４】
この構成により、本発明の複数ディスク判定装置は、挿入穴の幅方向の一端部側及び他端部側から第１接触部及び第２接触部によってディスクに接触するので、第１接触部及び第２接触部によってディスクを案内することができ、第１接触部及び第２接触部を有していない場合と比較して判定手段による判定の正確さを向上することができる。
【００２５】
また、本発明の複数ディスク判定装置は、前記接触検出手段は、前記第１接触部を有した第１接触部材と、前記第２接触部を有した第２接触部材と、前記第１接触部材及び前記第２接触部材に係合して前記第１接触部材及び前記第２接触部材の移動に従って移動する係合部材と、前記ディスクが前記挿入穴の幅方向の端部を通過しているときの前記係合部材の存在を検出する位置に配置された検出器とを有した構成を有している。
【００２６】
この構成により、本発明の複数ディスク判定装置は、挿入穴の幅方向の端部をディスクが通過しているときの係合部材の存在を検出する位置に検出器が配置されているので、挿入穴の幅方向の一端部をディスクが通過しているときの第１接触部の存在を検出する検出器と、挿入穴の幅方向の他端部をディスクが通過しているときの第２接触部の存在を検出する検出器とを別々に備える場合と比較して検出器の個数を減少させることができる。
【００２７】
また、本発明のディスク搬送装置は、複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように前記搬送部を制御する制御手段とを備えた構成を有している。
【００２８】
この構成により、本発明のディスク搬送装置は、従来と比較して小さいずれで複数枚のディスクが挿入されたときでも搬送部によるディスクの搬入を制御手段が停止するので、挿入された複数枚のディスクが挿入穴を通過することを防止することができる。
【００２９】
また、本発明のディスク搬送装置は、前記制御手段は、前記ディスクが前記挿入穴に複数枚挿入されたと前記判定手段が判定した場合に、前記搬送部による前記ディスクの搬入を停止して前記搬送部に前記ディスクを搬出させるように制御する構成を有している。
【００３０】
この構成により、本発明のディスク搬送装置は、従来と比較して小さいずれで複数枚のディスクが挿入されたときでも制御手段が搬送部にディスクを搬出させるので、挿入された複数枚のディスクを使用者に戻すことができる。
【００３１】
また、本発明のディスク搬送装置は、前記挿入穴の幅方向の端部に配置されて前記ディスクが通過する通過溝が形成されたディスク通過部を備え、前記通過溝を通過する前記ディスクの厚み方向における前記通過溝の長さは、前記ディスクの厚みの２倍より小さい構成を有している。
【００３２】
この構成により、本発明のディスク搬送装置は、通過溝を通過するディスクの厚み方向における通過溝の長さがディスクの厚みの２倍より小さいので、ディスクが挿入穴に複数枚挿入されたと判定手段が判定できない程度に小さいずれで複数枚のディスクが挿入されたときでも、挿入穴に複数枚挿入されたディスクが通過溝を通過することをディスク通過部によって防止することができる。
【００３３】
また、本発明のディスク搬送装置は、前記制御手段は、予め設定された基準時からの時間が予め設定された時間以上になった場合に前記搬送部による前記ディスクの搬入を停止するように制御する構成を有している。
【００３４】
この構成により、本発明のディスク搬送装置は、予め設定された基準時からの時間が予め設定された時間以上になった場合に搬送部によるディスクの搬入を制御手段が停止するので、ディスクが挿入穴に複数枚挿入されたと判定手段が判定できない程度に小さいずれで複数枚のディスクが挿入されたときでも、挿入穴に複数枚挿入されたディスクが挿入穴を通過することを防止することができる。
【００３５】
また、本発明のディスク搬送装置は、前記制御手段は、予め設定された基準時からの時間が予め設定された時間以上になった場合に、前記搬送部による前記ディスクの搬入を停止して前記搬送部に前記ディスクを搬出させるように制御する構成を有している。
【００３６】
この構成により、本発明のディスク搬送装置は、予め設定された基準時からの時間が予め設定された時間以上になった場合に、制御手段が搬送部にディスクを搬出させるので、ディスクが挿入穴に複数枚挿入されたと判定手段が判定できない程度に小さいずれで複数枚のディスクが挿入されたときでも、挿入穴に複数枚挿入されたディスクを使用者に戻すことができる。
【００３７】
また、本発明のディスク搬送装置は、前記透光領域発光部は、外径が前記ディスクより小さい小径ディスクの存在を前記接触検出手段が検出しているときの前記小径ディスクの遮光領域に対向する位置に配置された構成を有している。
【００３８】
この構成により、本発明のディスク搬送装置は、接触検出手段によって存在が検出されている小径ディスクの遮光領域に対向する位置に透光領域発光部が配置されているので、複数枚の小径ディスクが挿入されたときに、挿入された複数枚の小径ディスクが挿入穴を通過することを防止することができる。
【００３９】
また、本発明のディスク搬送装置は、複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように前記搬送部を制御する制御手段と、前記挿入穴の幅方向の端部側に配置された端側発光部を有し前記端側発光部が発した光が前記ディスクの遮光領域で遮断されることによって前記ディスクの存在を検出する端側光検出手段とを備え、前記透光領域発光部は、外径が前記ディスクより小さい小径ディスクの存在を前記接触検出手段が検出しているときの前記小径ディスクの透光領域に対向する位置に配置され、前記端側発光部は、前記小径ディスクの存在を前記接触検出手段が検出しているときの前記小径ディスクの遮光領域に対向せず、前記ディスクの存在を前記接触検出手段が検出しているときの前記ディスクの遮光領域に対向する位置に配置され、前記制御手段は、前記接触検出手段が前記ディスクの存在を検出したときに前記透光領域光検出手段及び前記端側光検出手段が前記ディスクの存在を検出しない場合に、前記搬送部による前記ディスクの搬入を停止するように制御する構成を有している。
【００４０】
この構成により、本発明のディスク搬送装置は、従来と比較して小さいずれで複数枚のディスクが挿入されたときでも搬送部によるディスクの搬入を制御手段が停止するので、挿入された複数枚のディスクが挿入穴を通過することを防止することができる。また、本発明のディスク搬送装置は、接触検出手段がディスクの存在を検出したときに透光領域光検出手段及び端側光検出手段がディスクの存在を検出しない場合に、制御手段が搬送部によるディスクの搬入を停止するので、複数枚の小径ディスクが挿入されたときに、挿入された複数枚の小径ディスクが挿入穴を通過することを防止することができる。
【００４１】
また、本発明のディスク搬送装置は、前記制御手段は、前記接触検出手段が前記ディスクの存在を検出したときに前記透光領域光検出手段及び前記端側光検出手段が前記ディスクの存在を検出しない場合に、前記搬送部による前記ディスクの搬入を停止して前記搬送部に前記ディスクを搬出させるように制御する構成を有している。
【００４２】
この構成により、本発明のディスク搬送装置は、接触検出手段がディスクの存在を検出したときに透光領域光検出手段及び端側光検出手段がディスクの存在を検出しない場合に、制御手段が搬送部によるディスクの搬入を停止して搬送部にディスクを搬出させるので、複数枚の小径ディスクが挿入されたときに、挿入された複数枚の小径ディスクを使用者に戻すことができる。
【００４３】
また、本発明のディスク搬送装置は、前記制御手段は、前記接触検出手段が前記ディスクの存在を検出せずに前記透光領域光検出手段が前記ディスクの存在を複数回検出した場合に前記搬送部による前記ディスクの搬入を停止するように制御する構成を有している。
【００４４】
この構成により、本発明のディスク搬送装置は、接触検出手段がディスクの存在を検出せずに透光領域光検出手段がディスクの存在を複数回検出した場合に搬送部によるディスクの搬入を制御手段が停止するので、例えば、挿入穴の幅方向における略中央で小径ディスクが挿入穴を通過することを防止することができる。
【００４５】
また、本発明のディスク搬送装置は、前記制御手段は、前記接触検出手段が前記ディスクの存在を検出せずに前記透光領域光検出手段が前記ディスクの存在を複数回検出した場合に、前記搬送部による前記ディスクの搬入を停止して前記ディスクを搬出させるように制御する構成を有している。
【００４６】
この構成により、本発明のディスク搬送装置は、接触検出手段がディスクの存在を検出せずに透光領域光検出手段がディスクの存在を複数回検出した場合に、制御手段が搬送部にディスクを搬出させるので、例えば、挿入穴の幅方向における略中央で挿入穴に挿入された小径ディスクを使用者に戻すことができる。
【００４７】
また、本発明のディスク搬送装置は、前記挿入穴の幅方向の端部側に配置された端側発光部を有し前記端側発光部が発した光が前記ディスクの遮光領域で遮断されることによって前記ディスクの存在を検出する端側光検出手段と、前記端側発光部に対して前記ディスクの挿入方向の下流側に配置された挿入側発光部を有し前記挿入側発光部が発した光が前記ディスクの遮光領域で遮断されることによって前記ディスクの存在を検出する挿入側光検出手段とを備え、前記制御手段は、前記端側光検出手段が前記ディスクの存在を検出せずに前記挿入側光検出手段が前記ディスクの存在を検出した場合に前記搬送部による前記ディスクの搬入を停止するように制御する構成を有している。
【００４８】
この構成により、本発明のディスク搬送装置は、端側光検出手段がディスクの存在を検出せずに挿入側光検出手段がディスクの存在を検出した場合に搬送部によるディスクの搬入を制御手段が停止するので、例えば、小径ディスクや一部が円形であるカード型ディスクが挿入穴の幅方向における端部側に挿入されたときに、挿入された小径ディスクや一部が円形であるカード型ディスクが挿入穴を通過することを防止することができる。
【００４９】
また、本発明のディスク搬送装置は、前記制御手段は、前記端側光検出手段が前記ディスクの存在を検出せずに前記挿入側光検出手段が前記ディスクの存在を検出した場合に、前記搬送部による前記ディスクの搬入を停止して前記搬送部に前記ディスクを搬出させるように制御する構成を有している。
【００５０】
この構成により、本発明のディスク搬送装置は、端側光検出手段がディスクの存在を検出せずに挿入側光検出手段がディスクの存在を検出した場合に、制御手段が搬送部にディスクを搬出させるので、例えば、小径ディスクや一部が円形であるカード型ディスクが挿入穴の幅方向における端部側に挿入されたときに、挿入された小径ディスクや一部が円形であるカード型ディスクを使用者に戻すことができる。
【００５１】
また、本発明のディスク搬送装置は、複数ディスク判定装置と、前記ディスクと接触して前記ディスクを搬送する搬送部と、前記ディスクが前記挿入穴に複数枚挿入されたと前記判定手段が判定した場合に前記搬送部による前記ディスクの搬入を停止するように制御する制御手段とを備え、前記接触検出手段は、前記第１接触部を有した第１接触部材と、前記第２接触部を有した第２接触部材と、前記第１接触部材及び前記第２接触部材に係合して前記第１接触部材及び前記第２接触部材の移動に従って移動する係合部材と、前記第１接触部及び前記第２接触部のうちの一方だけが移動するときに前記係合部材に係合することによって前記係合部材の移動を制限する移動制限部とを有した構成を有している。
【００５２】
この構成により、本発明のディスク搬送装置は、従来と比較して小さいずれで複数枚のディスクが挿入されたときでも搬送部によるディスクの搬入を制御手段が停止するので、挿入された複数枚のディスクが挿入穴を通過することを防止することができる。また、本発明のディスク搬送装置は、第１接触部及び第２接触部のうちの一方だけが移動するときに移動制限部が係合部材の移動を制限するので、例えば、小径ディスクや一部が円形であるカード型ディスクが挿入穴の幅方向における端部側を通過することを防止することができる。
【００５３】
また、本発明のディスク搬送装置は、前記接触検出手段は、前記ディスク接触部を有した接触部材と、前記幅方向に略直交する方向への前記ディスク接触部の移動を前記接触部材に係合することによって制限する直交方向移動制限部とを備えた構成を有している。
【００５４】
この構成により、本発明のディスク搬送装置は、幅方向に略直交する方向へのディスク接触部の移動を直交方向移動制限部が制限するので、例えば、長方形のカード型ディスクが挿入穴を通過することを防止することができる。
【００５５】
また、本発明のディスク搬送装置は、前記ディスク接触部に対して前記ディスクの挿入方向の下流側に配置された挿入側発光部を有し前記挿入側発光部が発した光が前記ディスクの遮光領域で遮断されることによって前記ディスクの存在を検出する挿入側光検出手段とを備え、前記制御手段は、予め設定された基準時からの時間が予め設定された時間以上になったときに前記挿入側光検出手段が前記ディスクの存在を検出しなかった場合に前記搬送部による前記ディスクの搬入を停止するように制御する構成を有している。
【００５６】
この構成により、本発明のディスク搬送装置は、予め設定された基準時からの時間が予め設定された時間以上になったときに挿入側光検出手段がディスクの存在を検出しなかった場合に搬送部によるディスクの搬入を制御手段が停止するので、例えば、挿入穴の幅方向の端部側に挿入された小径ディスクや、挿入穴の幅方向の端部側に挿入された一部が円形であるカード型ディスクが挿入穴を通過することを防止することができる。
【００５７】
また、本発明のディスク搬送装置は、前記制御手段は、予め設定された基準時からの時間が予め設定された時間以上になったときに前記挿入側光検出手段が前記ディスクの存在を検出しなかった場合に、前記搬送部による前記ディスクの搬入を停止して前記搬送部に前記ディスクを搬出させるように制御する構成を有している。
【００５８】
この構成により、本発明のディスク搬送装置は、予め設定された基準時からの時間が予め設定された時間以上になったときに挿入側光検出手段がディスクの存在を検出しなかった場合に、制御手段が搬送部にディスクを搬出させるので、例えば、挿入穴の幅方向の端部側に挿入された小径ディスクや、挿入穴の幅方向の端部側に挿入された一部が円形であるカード型ディスクを使用者に戻すことができる。
【００５９】
また、本発明のディスク搬送装置は、前記制御手段は、前記接触検出手段が前記ディスクの存在を検出したときに前記透光領域光検出手段が前記ディスクの存在を検出しなかった場合に、前記搬送部に前記ディスクを搬入させるように制御する構成を有している。
【００６０】
この構成により、本発明のディスク搬送装置は、接触検出手段がディスクの存在を検出したときに透光領域光検出手段がディスクの存在を検出しない場合に、制御手段が搬送部にディスクを搬入させるので、ディスクが挿入されたときに、挿入されたディスクに挿入穴を通過させることができる。
【００６１】
また、本発明のディスク搬送装置は、前記制御手段は、前記接触検出手段が前記ディスクの存在を検出したときに前記透光領域光検出手段が前記ディスクの存在を検出しないで前記端側光検出手段が前記ディスクの存在を検出する場合に、前記搬送部に前記ディスクを搬入させるように制御する構成を有している。
【００６２】
この構成により、本発明のディスク搬送装置は、接触検出手段がディスクの存在を検出したときに透光領域光検出手段がディスクの存在を検出しないで端側光検出手段がディスクの存在を検出する場合に、制御手段が搬送部にディスクを搬入させるので、ディスクが挿入されたときに、挿入されたディスクに挿入穴を通過させることができる。
【００６３】
また、本発明のディスク搬送装置は、前記搬送部は、前記ディスク接触部及び前記透光領域発光部に対して前記ディスクの挿入方向の下流側に配置された構成を有している。
【００６４】
この構成により、本発明のディスク搬送装置は、搬送部がディスク接触部及び透光領域発光部に対してディスクの挿入方向の下流側に配置されているので、搬送部がディスク接触部及び透光領域発光部に対してディスクの挿入方向の上流側に配置される場合と比較して、ディスクと搬送部とが接触しなくなる前の早い時期に搬送部によるディスクの搬送を制御手段に制御させることができる。
【００６５】
また、本発明のディスク搬送装置は、前記搬送部は、前記ディスク接触部、前記透光領域発光部及び前記端側発光部に対して前記ディスクの挿入方向の下流側に配置された構成を有している。
【００６６】
この構成により、本発明のディスク搬送装置は、搬送部がディスク接触部、透光領域発光部及び端側発光部に対してディスクの挿入方向の下流側に配置されたので、搬送部がディスク接触部、透光領域発光部及び端側発光部に対してディスクの挿入方向の上流側に配置される場合と比較して、ディスクと搬送部とが接触しなくなる前の早い時期に搬送部によるディスクの搬送を制御手段に制御させることができる。
【００６７】
また、本発明のディスク装置は、ディスク搬送装置を備えた構成を有している。
【００６８】
この構成により、本発明のディスク装置は、従来と比較して小さいずれで複数枚のディスクが挿入されたときでも搬送部によるディスクの搬入を制御手段が停止するので、挿入された複数枚のディスクが挿入穴を通過することを防止することができ、誤動作や故障の発生を防止することができる。
【００６９】
【発明の実施の形態】
以下、本発明の一実施の形態について、図面を用いて説明する。
【００７０】
（第１の実施の形態）
【００７１】
まず、第１の実施の形態に係るディスク搬送装置の構成について説明する。
【００７２】
図１から図５までに示すように、本実施の形態に係るディスク搬送装置１００は、ディスクと接触してディスクを搬送する搬送部としての搬送ローラ１１１と、搬送ローラ１１１を矢印１１１ａで示す方向に付勢する図示していない第１の弾性部材と、搬送ローラ１１１に動力を供給する図示していないモータを含む図示していない動力供給装置と、ディスクが複数枚挿入されたことを判定する複数ディスク判定装置１２０とを備えており、車載用の音響機器等の図示していないディスク装置に備えられている。
【００７３】
複数ディスク判定装置１２０は、ディスクが挿入される挿入穴１２１が間に形成されたディスク挿入部としての基板１３０及び基板１４０を備えている。なお、図２及び図３には、遮光領域２１１ａと、穴から成る透光領域２１１ｂとが形成されて直径が約１２ｃｍである略円形の円形ディスク２１１がディスクとして描かれている。
【００７４】
ここで、基板１３０は、図６に示すように、ディスクを案内するガイド１３１ａ及びガイド１３１ｂを有してディスクが通過する通過溝１３１ｃがガイド１３１ａ及びガイド１３１ｂによって形成されたディスク通過部１３１を有している。ディスク通過部１３１は、挿入穴１２１（図２参照）の矢印１２０ａ（図２参照）及び矢印１２０ｂ（図２参照）で示す幅方向における一端部１２１ａ（図１参照）に配置されており、通過溝１３１ｃを通過するディスクの厚み方向における通過溝１３１ｃの長さ１３１ｄは、ディスクの厚み１９０の２倍より小さくなっている。
【００７５】
また、基板１３０は、ディスクを案内するガイド１３２ａ及びガイド１３２ｂを有してディスクが通過する通過溝１３２ｃがガイド１３２ａ及びガイド１３２ｂによって形成されたディスク通過部１３２を有している。ディスク通過部１３２は、挿入穴１２１の矢印１２０ａ及び矢印１２０ｂで示す幅方向における他端部１２１ｂ（図１参照）に配置されており、通過溝１３２ｃを通過するディスクの厚み方向における通過溝１３２ｃの長さ１３２ｄは、ディスクの厚み１９０の２倍より小さくなっている。
【００７６】
また、基板１４０は、図１から図５までに示すように、搬送ローラ１１１がディスクを搬送する矢印１００ａ及び矢印１００ｂで示す方向に延在して挿入穴１２１の一端部１２１ａ側に配置された穴１４１と、矢印１００ａ及び矢印１００ｂで示す方向に延在して挿入穴１２１の他端部１２１ｂ側に配置された穴１４２と、矢印１００ａ及び矢印１００ｂで示す方向と略直交した矢印１２０ａ及び矢印１２０ｂで示す方向に延在して挿入穴１２１の一端部１２１ａ側に配置された穴１４３と、矢印１２０ａ及び矢印１２０ｂで示す方向に延在して挿入穴１２１の他端部１２１ｂ側に配置された穴１４４とが形成されている。
【００７７】
また、複数ディスク判定装置１２０は、基板１４０に対して基板１３０側とは反対側に配置されたレバー部材１５１と、レバー部材１５１に対して基板１４０側とは反対側に配置されたレバー部材１５２及びレバー部材１５３と、レバー部材１５２及びレバー部材１５３が互いに近接する方向にレバー部材１５２及びレバー部材１５３を付勢する図示していない第２の弾性部材とを備えている。
【００７８】
ここで、レバー部材１５１は、基板１４０の穴１４１に挿入された軸部１５１ａと、基板１４０の穴１４２に挿入された軸部１５１ｂとを有しており、挿入穴１２１の一端部１２１ａ側に配置された溝１５１ｃと、挿入穴１２１の他端部１２１ｂ側に配置された溝１５１ｄとが形成されている。
【００７９】
また、レバー部材１５２は、基板１４０の穴１４３に挿入されて挿入穴１２１に突出した軸部１５２ａと、基板１４０の穴１４３に挿入された軸部１５２ｂと、レバー部材１５１の溝１５１ｃに挿入された軸部１５２ｃとを有している。即ち、レバー部材１５２の軸部１５２ａは、挿入穴１２１の一端部１２１ａ側に配置されてディスクと接触状態を維持して移動するディスク接触部としての第１接触部を構成しており、レバー部材１５２は、軸部１５２ａを有する接触部材としての第１接触部材を構成している。
【００８０】
また、レバー部材１５３は、基板１４０の穴１４４に挿入されて挿入穴１２１に突出した軸部１５３ａと、基板１４０の穴１４４に挿入された軸部１５３ｂと、レバー部材１５１の溝１５１ｄに挿入された軸部１５３ｃとを有している。即ち、レバー部材１５３の軸部１５３ａは、挿入穴１２１の他端部１２１ｂ側に配置されてディスクと接触状態を維持して移動するディスク接触部としての第２接触部を構成しており、レバー部材１５３は、軸部１５２ａを有する接触部材としての第２接触部材を構成している。
【００８１】
また、レバー部材１５１は、レバー部材１５２及びレバー部材１５３に係合してレバー部材１５２及びレバー部材１５３の移動に従って移動する係合部材を構成している。
【００８２】
ここで、レバー部材１５２及びレバー部材１５３が互いに近接する方向に第２の弾性部材によって付勢されているので、レバー部材１５１、レバー部材１５２及びレバー部材１５３は、挿入穴１２１にディスクが挿入されていないときに図１に示す状態になっている。また、レバー部材１５２は、軸部１５２ａが挿入穴１２１に突出しているので、挿入穴１２１に挿入されたディスクに軸部１５２ａが接触すると、挿入穴１２１に挿入されたディスクに押されて移動するようになっている。同様に、レバー部材１５３は、軸部１５３ａが挿入穴１２１に突出しているので、挿入穴１２１に挿入されたディスクに軸部１５３ａが接触すると、挿入穴１２１に挿入されたディスクに押されて移動するようになっている。また、基板１４０の穴１４１及び穴１４２が、上述したように矢印１００ａ及び矢印１００ｂで示す方向に延在しているので、レバー部材１５２の軸部１５２ａ及びレバー部材１５３の軸部１５３ａの両方が同時に互いに離隔する方向に移動しないとき、レバー部材１５１は、矢印１００ａ及び矢印１００ｂで示す方向に対して傾いた方向に移動して軸部１５１ａ及び軸部１５１ｂで基板１４０に係合し停止するようになっている。
【００８３】
換言すると、基板１４０は、レバー部材１５２の軸部１５２ａ及びレバー部材１５３の軸部１５３ａのうちの一方だけが移動するときにレバー部材１５１に係合することによってレバー部材１５１の移動を制限する移動制限部を構成している。
【００８４】
また、基板１４０の穴１４３及び穴１４４が、上述したように矢印１２０ａ及び矢印１２０ｂで示す方向に延在しているので、基板１４０は、レバー部材１５２の軸部１５２ａ及びレバー部材１５３の軸部１５３ａの矢印１００ａ及び矢印１００ｂで示す方向への移動を制限するようになっている。
【００８５】
換言すると、基板１４０は、挿入穴１２１の矢印１２０ａ及び矢印１２０ｂで示す幅方向に略直交する矢印１００ａ及び矢印１００ｂで示す方向へのレバー部材１５２の軸部１５２ａ及びレバー部材１５３の軸部１５３ａの移動を、レバー部材１５２及びレバー部材１５３に係合することによって制限する直交方向移動制限部を構成している。
【００８６】
なお、挿入穴１２１にディスクが挿入されていないときのレバー部材１５２の軸部１５２ａ及びレバー部材１５３の軸部１５３ａの距離と、挿入穴１２１の一端部１２１ａからレバー部材１５２の軸部１５２ａまでの距離と、挿入穴１２１の他端部１２１ｂからレバー部材１５３の軸部１５３ａまでの距離とは、図７から図９までに示すように、長方形のカード型ディスク２４１の幅よりも小さくなっている。
【００８７】
なお、カード型ディスク２４１は、幅が約６ｃｍであり、長さが約８．６ｃｍであり、遮光領域２４１ａと、穴から成る透光領域２４１ｂとが形成されている。
【００８８】
また、複数ディスク判定装置１２０は、図１に示すように、ディスクが挿入穴１２１の一端部１２１ａ及び他端部１２１ｂを通過するときのレバー部材１５１の存在を検出する位置に配置された検出器１６１を備えている。
【００８９】
以上に説明したように、基板１４０、レバー部材１５１、レバー部材１５２、レバー部材１５３、第２の弾性部材及び検出器１６１は、軸部１５２ａ及び軸部１５３ａの移動量に基づいて挿入穴１２１の一端部１２１ａ及び他端部１２１ｂを通過するディスクの存在を検出する接触検出手段としての接触検出部１６０を構成している。
【００９０】
ここで、レバー部材１５１が検出器１６１に接触するとき、検出器１６１の出力は“Ｈｉ”となり、レバー部材１５１が検出器１６１に接触しないとき、検出器１６１の出力は“Ｌｏ”となるようになっている。即ち、接触検出部１６０は、検出器１６１の出力が“Ｈｉ”であるときディスクの存在を検出し、検出器１６１の出力が“Ｌｏ”であるときディスクの存在を検出しないことになる。
【００９１】
また、複数ディスク判定装置１２０は、図１から図５までに示すように、発光素子１７１ａ及び受光素子１７１ｂを有した光検出部１７１を備えている。ここで、発光素子１７１ａは、接触検出部１６０が円形ディスク２１１の存在を検出しているときの円形ディスク２１１の透光領域２１１ｂに対向する位置で基板１３０に固定されて透光領域発光部を構成しており、受光素子１７１ｂは、発光素子１７１ａに対向する位置で基板１４０に固定されており、光検出部１７１は、発光素子１７１ａが発した光がディスクの遮光領域で遮断されることによってディスクの存在を検出する透光領域光検出手段を構成している。
【００９２】
なお、発光素子１７１ａが発した光を受光素子１７１ｂが受けないとき、受光素子１７１ｂの出力は“Ｈｉ”となり、発光素子１７１ａが発した光を受光素子１７１ｂが受けるとき、受光素子１７１ｂの出力は“Ｌｏ”となるようになっている。即ち、光検出部１７１は、受光素子１７１ｂの出力が“Ｈｉ”であるときディスクの存在を検出し、受光素子１７１ｂの出力が“Ｌｏ”であるときディスクの存在を検出しないことになる。
【００９３】
また、発光素子１７１ａは、図１０に示すように、遮光領域２２１ａと、穴から成る透光領域２２１ｂとが形成されて直径が約８ｃｍである略円形の小径ディスク２２１の存在を接触検出部１６０が検出しているときの小径ディスク２２１の遮光領域２２１ａに対向する位置に配置されている。同様に、発光素子１７１ａは、遮光領域２２２ａと、穴から成る透光領域２２２ｂとが形成されて直径が約８ｃｍである略円形の小径ディスク２２２の存在を接触検出部１６０が検出しているときの小径ディスク２２２の遮光領域２２２ａに対向する位置に配置されている。
【００９４】
また、発光素子１７１ａは、図１１に示すように、遮光領域２２３ａと、透明な部分からなる透光領域２２３ｂと、穴から成る透光領域２２３ｃとが形成されて直径が約８ｃｍである略円形の小径ディスク２２３の存在を接触検出部１６０が検出するときの小径ディスク２２３の透光領域２２３ｂに対向する位置に配置されている。同様に、発光素子１７１ａは、遮光領域２２４ａと、透明な部分からなる透光領域２２４ｂと、穴から成る透光領域２２４ｃとが形成されて直径が約８ｃｍである略円形の小径ディスク２２４の存在を接触検出部１６０が検出するときの小径ディスク２２４の透光領域２２４ｂに対向する位置に配置されている。
【００９５】
また、ディスク搬送装置１００は、図１から図５までに示すように、発光素子１７２ａ及び受光素子１７２ｂを有した光検出部１７２を備えている。ここで、発光素子１７２ａは、挿入穴１２１の一端部１２１ａ側で基板１３０に固定されて端側発光部を構成しており、受光素子１７２ｂは、発光素子１７２ａに対向する位置で基板１４０に固定されており、光検出部１７２は、発光素子１７２ａが発した光がディスクの遮光領域で遮断されることによってディスクの存在を検出する端側光検出手段を構成している。
【００９６】
なお、発光素子１７２ａが発した光を受光素子１７２ｂが受けないとき、受光素子１７２ｂの出力は“Ｈｉ”となり、発光素子１７２ａが発した光を受光素子１７２ｂが受けるとき、受光素子１７２ｂの出力は“Ｌｏ”となるようになっている。即ち、光検出部１７２は、受光素子１７２ｂの出力が“Ｈｉ”であるときディスクの存在を検出し、受光素子１７２ｂの出力が“Ｌｏ”であるときディスクの存在を検出しないことになる。
【００９７】
また、発光素子１７２ａは、図１１に示すように、小径ディスク２２３の存在を接触検出部１６０が検出しているときの小径ディスク２２３の遮光領域２２３ａに対向せず、小径ディスク２２４の存在を接触検出部１６０が検出しているときの小径ディスク２２４の遮光領域２２４ａに対向せず、図１に示すように、円形ディスク２１１の存在を接触検出部１６０が検出しているときの円形ディスク２１１の遮光領域２１１ａに対向する位置に配置されている。
【００９８】
また、ディスク搬送装置１００は、図１から図５までに示すように、発光素子１７３ａ及び受光素子１７３ｂを有した光検出部１７３を備えている。ここで、発光素子１７３ａは、挿入穴１２１の他端部１２１ｂ側で基板１３０に固定されて端側発光部を構成しており、受光素子１７３ｂは、発光素子１７３ａに対向する位置で基板１４０に固定されており、光検出部１７３は、発光素子１７３ａが発した光がディスクの遮光領域で遮断されることによってディスクの存在を検出する端側光検出手段を構成している。
【００９９】
なお、発光素子１７３ａが発した光を受光素子１７３ｂが受けないとき、受光素子１７３ｂの出力は“Ｈｉ”となり、発光素子１７３ａが発した光を受光素子１７３ｂが受けるとき、受光素子１７３ｂの出力は“Ｌｏ”となるようになっている。即ち、光検出部１７３は、受光素子１７３ｂの出力が“Ｈｉ”であるときディスクの存在を検出し、受光素子１７３ｂの出力が“Ｌｏ”であるときディスクの存在を検出しないことになる。
【０１００】
また、発光素子１７３ａは、図１１に示すように、小径ディスク２２３の存在を接触検出部１６０が検出しているときの小径ディスク２２３の遮光領域２２３ａに対向せず、小径ディスク２２４の存在を接触検出部１６０が検出しているときの小径ディスク２２４の遮光領域２２４ａに対向せず、図１に示すように、円形ディスク２１１の存在を接触検出部１６０が検出しているときの円形ディスク２１１の遮光領域２１１ａに対向する位置に配置されている。
【０１０１】
なお、搬送ローラ１１１は、図１から図５までに示すように、レバー部材１５２の軸部１５２ａ、レバー部材１５３の軸部１５３ａ、発光素子１７１ａ、発光素子１７２ａ及び発光素子１７３ａに対してディスクの矢印１００ａで示す挿入方向の下流側に配置された構成を有している。
【０１０２】
また、ディスク搬送装置１００は、発光素子１７４ａ及び受光素子１７４ｂを有した光検出部１７４を備えている。ここで、発光素子１７４ａは、挿入穴１２１の一端部１２１ａ側であり、レバー部材１５２の軸部１５２ａ及び発光素子１７２ａに対してディスクの矢印１００ａで示す挿入方向の下流側で基板１３０に固定されて挿入側発光部を構成しており、受光素子１７４ｂは、発光素子１７４ａに対向する位置で基板１４０に固定されており、光検出部１７４は、発光素子１７４ａが発した光がディスクの遮光領域で遮断されることによってディスクの存在を検出する挿入側光検出手段を構成している。
【０１０３】
なお、発光素子１７４ａが発した光を受光素子１７４ｂが受けないとき、受光素子１７４ｂの出力は“Ｈｉ”となり、発光素子１７４ａが発した光を受光素子１７４ｂが受けるとき、受光素子１７４ｂの出力は“Ｌｏ”となるようになっている。即ち、光検出部１７４は、受光素子１７４ｂの出力が“Ｈｉ”であるときディスクの存在を検出し、受光素子１７４ｂの出力が“Ｌｏ”であるときディスクの存在を検出しないことになる。
【０１０４】
また、ディスク搬送装置１００は、図示していないＣＰＵ（Ｃｅｎｔｒａｌ  Ｐｒｏｃｅｓｓｉｎｇ  Ｕｎｉｔ）と、ＣＰＵによって実行されるプログラムを記録した図示していないＲＯＭ（Ｒｅａｄ  Ｏｎｌｙ  Ｍｅｍｏｒｙ）とによって構成された図示していない処理部を備えている。
【０１０５】
ここで、処理部は、接触検出部１６０及び光検出部１７１が同時にディスクの存在を検出した場合や、接触検出部１６０がディスクの存在を複数回検出した場合にディスクが挿入穴１２１に複数枚挿入されたと判定するようになっており、複数ディスク判定装置１２０の判定手段を構成している。
【０１０６】
また、処理部は、ディスクが挿入穴１２１に複数枚挿入されたと判定した場合に、搬送ローラ１１１によるディスクの搬入を停止して搬送ローラ１１１にディスクを搬出させるように搬送ローラ１１１によるディスクの搬送を制御する制御手段を構成している。
【０１０７】
なお、ＲＯＭに記録されたプログラムは、ＣＰＵに図１２に示すような処理を実行させるようになっている。
【０１０８】
まず、ＣＰＵは、光検出部１７１、光検出部１７２及び光検出部１７３の何れかの出力が“Ｈｉ”であるか否かを判断し（ステップＳ４０１）、光検出部１７１、光検出部１７２及び光検出部１７３の何れの出力も“Ｌｏ”であると判断したとき、ステップＳ４０１の処理を繰り返し、ステップＳ４０１において光検出部１７１、光検出部１７２及び光検出部１７３の何れかの出力が“Ｈｉ”であると判断したとき、モータの正転を開始する（ステップＳ４０２）ようになっている。
【０１０９】
また、ＣＰＵは、ステップＳ４０２においてモータの正転を開始すると、接触検出部１６０の出力が“Ｈｉ”であるか否かを判断し（ステップＳ４０３）、接触検出部１６０の出力が“Ｈｉ”であると判断したとき、光検出部１７１の出力が“Ｌｏ”であり光検出部１７２及び光検出部１７３の出力が“Ｈｉ”であるか否かを判断する（ステップＳ４０４）ようになっている。
【０１１０】
また、ＣＰＵは、ステップＳ４０４において光検出部１７１の出力が“Ｌｏ”であり光検出部１７２及び光検出部１７３の出力が“Ｈｉ”であると判断したとき、接触検出部１６０の出力が２回“Ｈｉ”になったか否かを判断し（ステップＳ４０５）、接触検出部１６０の出力が２回“Ｈｉ”になっていないと判断したとき、モータの正転の開始から予め設定された第１設定時間を経過したか否かを判断する（ステップＳ４０６）ようになっている。
【０１１１】
また、ＣＰＵは、ステップＳ４０６においてモータの正転の開始から第１設定時間を経過していないと判断したとき、ディスクが再生位置又は収納位置である所定の位置まで搬送されたか否かを図示していない検出手段の検出結果によって判断し（ステップＳ４０７）、ディスクが所定の位置まで搬送されていないと判断したとき、ステップＳ４０５の処理を実行し、ステップＳ４０７においてディスクが所定の位置まで搬送されたと判断したとき、モータの正転を停止して（ステップＳ４０８）、図１２に示す一連の処理を終了するようになっている。換言すると、処理部は、接触検出部１６０がディスクの存在を検出したときに光検出部１７１がディスクの存在を検出しないで光検出部１７２及び光検出部１７３がディスクの存在を検出する場合に、搬送ローラ１１１にディスクを搬入させるようになっている。
【０１１２】
また、ＣＰＵは、ステップＳ４０４において光検出部１７１の出力が“Ｈｉ”であると判断したとき、モータの正転を停止して（ステップＳ４０９）、モータの逆転を開始した後（ステップＳ４１０）、モータの逆転が終了したか否かを判断して（ステップＳ４１１）、モータの逆転が終了していないと判断したとき、ステップＳ４１１の処理を繰り返し、ステップＳ４１１においてモータの逆転が終了したと判断したとき、図１２に示す一連の処理を終了するようになっている。換言すると、処理部は、接触検出部１６０がディスクの存在を検出したときに光検出部１７１がディスクの存在を検出した場合に、ディスクが挿入穴１２１に複数枚挿入されたと判定し、搬送ローラ１１１によるディスクの搬入を停止して搬送ローラ１１１にディスクを搬出させるようになっている。
【０１１３】
同様に、ＣＰＵは、ステップＳ４０４において光検出部１７１の出力が“Ｌｏ”であり光検出部１７２及び光検出部１７３の少なくとも一方の出力が“Ｌｏ”であると判断したとき、ステップＳ４０９からステップＳ４１１までの処理を行って、図１２に示す一連の処理を終了するようになっている。換言すると、処理部は、接触検出部１６０がディスクの存在を検出したときに光検出部１７１と光検出部１７２及び光検出部１７３の少なくとも一方とがディスクの存在を検出しない場合に、搬送ローラ１１１によるディスクの搬入を停止して搬送ローラ１１１にディスクを搬出させるようになっている。
【０１１４】
また、ＣＰＵは、ステップＳ４０５において接触検出部１６０の出力が２回“Ｈｉ”になったと判断したとき、ステップＳ４０９からステップＳ４１１までの処理を行って、図１２に示す一連の処理を終了するようになっている。換言すると、処理部は、接触検出部１６０がディスクの存在を複数回検出した場合に、ディスクが挿入穴１２１に複数枚挿入されたと判定し、搬送ローラ１１１によるディスクの搬入を停止して搬送ローラ１１１にディスクを搬出させるようになっている。
【０１１５】
また、ＣＰＵは、ステップＳ４０６においてモータの正転の開始から第１設定時間を経過したと判断したとき、ステップＳ４０９からステップＳ４１１までの処理を行って、図１２に示す一連の処理を終了するようになっている。換言すると、処理部は、予め設定された基準時からの時間、即ち、モータの正転の開始時からの時間が第１設定時間以上になった場合に、搬送ローラ１１１によるディスクの搬入を停止して搬送ローラ１１１にディスクを搬出させるようになっている。
【０１１６】
また、ＣＰＵは、ステップＳ４０３において接触検出部１６０の出力が“Ｌｏ”であると判断したとき、光検出部１７４の出力が“Ｈｉ”であるか否かを判断し（ステップＳ４１２）、光検出部１７４の出力が“Ｈｉ”であると判断したとき、光検出部１７２及び光検出部１７３の両方の出力が“Ｈｉ”になったことがあるか否かを判断する（ステップＳ４１３）ようになっている。
【０１１７】
また、ＣＰＵは、ステップＳ４１２において光検出部１７４の出力が“Ｌｏ”であると判断したとき、モータの正転の開始から予め設定された第２設定時間を経過したか否かを判断する（ステップＳ４１４）ようになっている。
【０１１８】
また、ＣＰＵは、ステップＳ４１３において光検出部１７２及び光検出部１７３の両方の出力が“Ｈｉ”になったことがあると判断したとき、又は、ステップＳ４１４においてモータの正転の開始から第２設定時間を経過していないと判断したとき、光検出部１７１の出力が２回“Ｈｉ”になったか否かを判断し（ステップＳ４１５）、光検出部１７１の出力が２回“Ｈｉ”になっていないと判断したとき、ステップＳ４０３の処理を行うようになっている。
【０１１９】
また、ＣＰＵは、ステップＳ４１３において光検出部１７２及び光検出部１７３の少なくとも一方の出力が“Ｈｉ”になったことがないと判断したとき、ステップＳ４０９からステップＳ４１１までの処理を行って、図１２に示す一連の処理を終了するようになっている。換言すると、処理部は、光検出部１７２及び光検出部１７３の少なくとも一方がディスクの存在を検出せずに光検出部１７４がディスクの存在を検出した場合に、搬送ローラ１１１によるディスクの搬入を停止して搬送ローラ１１１にディスクを搬出させるようになっている。
【０１２０】
また、ＣＰＵは、ステップＳ４１４においてモータの正転の開始から第２設定時間を経過したと判断したとき、ステップＳ４０９からステップＳ４１１までの処理を行って、図１２に示す一連の処理を終了するようになっている。換言すると、処理部は、予め設定された基準時からの時間、即ち、モータの正転の開始時からの時間が第２設定時間以上になったときに、光検出部１７４がディスクの存在を検出しなかった場合に、搬送ローラ１１１によるディスクの搬入を停止して搬送ローラ１１１にディスクを搬出させるようになっている。
【０１２１】
また、ＣＰＵは、ステップＳ４１５において光検出部１７１の出力が２回“Ｈｉ”になったと判断したとき、ステップＳ４０９からステップＳ４１１までの処理を行って、図１２に示す一連の処理を終了するようになっている。換言すると、処理部は、接触検出部１６０がディスクの存在を検出せずに光検出部１７１がディスクの存在を複数回検出した場合に、搬送ローラ１１１によるディスクの搬入を停止して搬送ローラ１１１にディスクを搬出させるようになっている。
【０１２２】
次に、本実施の形態に係るディスク搬送装置の動作について説明する。
【０１２３】
図１３及び図１４に示すように、１枚の円形ディスク２１１が挿入穴１２１に矢印１００ａで示す方向に挿入されて時間３０１において遮光領域２１１ａで光検出部１７１に存在が検出されると、処理部が、ステップＳ４０１において光検出部１７１の出力が“Ｈｉ”であると判断して、ステップＳ４０２においてモータの正転を開始するので、搬送ローラ１１１が回転を開始する。
【０１２４】
なお、処理部は、ステップＳ４０２においてモータの正転を開始した後、ステップＳ４０３、ステップＳ４１２、ステップＳ４１４及びステップＳ４１５の処理を繰り返す。
【０１２５】
円形ディスク２１１が挿入穴１２１に更に矢印１００ａで示す方向に挿入されて円形ディスク２１１及び搬送ローラ１１１が図１５に示すように互いに接触すると、円形ディスク２１１は、搬送ローラ１１１によって矢印１００ａで示す方向に搬送されるので、レバー部材１５２の軸部１５２ａとレバー部材１５３の軸部１５３ａとに接触して、レバー部材１５２及びレバー部材１５３が互いに離隔する方向にレバー部材１５２及びレバー部材１５３を移動させる。
【０１２６】
円形ディスク２１１は、搬送ローラ１１１によって矢印１００ａで示す方向に更に搬送されると、時間３０２において遮光領域２１１ａで光検出部１７２及び光検出部１７３に存在が検出され、時間３０３において図１６に示すように遮光領域２１１ａで光検出部１７４に存在が検出される。
【０１２７】
円形ディスク２１１の存在が遮光領域２１１ａで光検出部１７４に検出されると、処理部は、ステップＳ４０３、ステップＳ４１２、ステップＳ４１３及びステップＳ４１５の処理を繰り返す。
【０１２８】
円形ディスク２１１は、搬送ローラ１１１によって矢印１００ａで示す方向に更に搬送されると、時間３０４において透光領域２１１ｂで光検出部１７１に存在が検出されなくなった後、時間３０５において図３に示すように接触検出部１６０に存在が検出される。
【０１２９】
円形ディスク２１１の存在が接触検出部１６０に検出されると、処理部は、ステップＳ４０３において接触検出部１６０の出力が“Ｈｉ”であると判断し、ステップＳ４０４において光検出部１７１の出力が“Ｌｏ”であり光検出部１７２及び光検出部１７３の出力が“Ｈｉ”であると判断して、ステップＳ４０５、ステップＳ４０６及びステップＳ４０７の処理を繰り返す。
【０１３０】
円形ディスク２１１は、搬送ローラ１１１によって矢印１００ａで示す方向に更に搬送されると、時間３０６において接触検出部１６０に存在が検出されなくなり、時間３０７において遮光領域２１１ａで再び光検出部１７１に存在が検出され、時間３０８において光検出部１７２及び光検出部１７３に存在が検出されなくなり、時間３０９において光検出部１７１に存在が検出されなくなり、時間３１０において光検出部１７４に存在が検出されなくなった後、所定の位置まで搬送されたことを図示していない検出手段によって検出されることによって搬送が停止される。
【０１３１】
以上のようにして、円形ディスク２１１は、ディスク装置の内部の予め定められた位置まで搬送される。
【０１３２】
ディスク装置の内部の予め定められた位置まで搬送された円形ディスク２１１が矢印１００ｂで示す方向に排出されるとき、処理部は、図示していない検出部からの信号によって円形ディスク２１１が排出されることを認識し、モータを逆転させて搬送ローラ１１１を回転させる。
【０１３３】
処理部がモータを逆転させて搬送ローラ１１１を回転させた後、円形ディスク２１１及び搬送ローラ１１１が互いに接触すると、円形ディスク２１１は、搬送ローラ１１１によって矢印１００ｂで示す方向に搬送される。
【０１３４】
ここで、処理部は、円形ディスク２１１の存在を検出した光検出部１７４が円形ディスク２１１の存在を検出しなくなったとき、モータの逆転を停止するようになっており、搬送ローラ１１１によって矢印１００ｂで示す方向に搬送された円形ディスク２１１は、ディスク搬送装置１００に対して図１６に示す位置で停止する。
【０１３５】
なお、ディスク搬送装置１００は、円形ディスク２１１を図１６に示す位置に停止させているとき、円形ディスク２１１を搬送ローラ１１１と接触させているので、円形ディスク２１１が外部に落下するのを防止することができるとともに、搬送ローラ１１１によって再び矢印１００ａで示す方向に円形ディスク２１１を搬送することもできる。
【０１３６】
なお、以上においては、ディスク装置への円形ディスク２１１の挿入と、ディスク装置からの円形ディスク２１１の排出とについて説明したが、ディスク搬送装置１００は、中心から約４ｃｍ以下の範囲だけが遮光領域である直径が約１２ｃｍである円形ディスクや、直径が約８ｃｍである略円形のディスクを中央部分に保持した直径が約１２ｃｍである略円形のアダプタも、円形ディスク２１１と同様に取り扱うことができる。
【０１３７】
図１７に示すように、円形ディスク２１１と、略円形の円形ディスク２１２とが７．５ｍｍ未満のずれで重ねられて挿入穴１２１に矢印１００ａで示す方向に挿入されると、１枚の円形ディスク２１１が挿入穴１２１に矢印１００ａで示す方向に挿入された場合と同様に、図１８に示すように、円形ディスク２１１の存在が時間３１１において遮光領域２１１ａで光検出部１７１に検出され、円形ディスク２１１の存在が時間３１２において遮光領域２１１ａで光検出部１７２及び光検出部１７３に検出され、円形ディスク２１１の存在が時間３１３において遮光領域２１１ａで光検出部１７４に検出される。
【０１３８】
なお、円形ディスク２１２は、遮光領域２１１ａと、穴から成る透光領域２１１ｂとが形成されており、直径が約１２ｃｍである。
【０１３９】
円形ディスク２１１及び円形ディスク２１２が搬送ローラ１１１によって矢印１００ａで示す方向に更に搬送されると、円形ディスク２１１及び円形ディスク２１２の存在が時間３１４において透光領域２１１ｂ及び透光領域２１２ｂで光検出部１７１に検出されなくなった後、円形ディスク２１１の存在が時間３１５において接触検出部１６０に検出され、円形ディスク２１２の存在が時間３１６において接触検出部１６０に検出されなくなり、円形ディスク２１１の存在が時間３１７において遮光領域２１１ａで光検出部１７１に検出される。
【０１４０】
ここで、ディスク通過部１３１は、図６に示すように、通過溝１３１ｃを通過するディスクの厚み方向における通過溝１３１ｃの長さ１３１ｄが、ディスクの厚み１９０の２倍より小さくなっており、ディスク通過部１３２は、通過溝１３２ｃを通過するディスクの厚み方向における通過溝１３２ｃの長さ１３２ｄが、ディスクの厚み１９０の２倍より小さくなっているので、円形ディスク２１１及び円形ディスク２１２は、搬送ローラ１１１によって矢印１００ａで示す方向に搬送されると、ディスク通過部１３１及びディスク通過部１３２によって図１９に示す位置で停止する。
【０１４１】
そして、処理部は、モータの正転が開始された時間３１１からの経過時間が第１設定時間以上になると、時間３１８でステップＳ４０６においてモータの正転の開始から第１設定時間を経過したと判断し、ステップＳ４０９、ステップＳ４１０及びステップＳ４１１の処理を行うので、円形ディスク２１１及び円形ディスク２１２は、搬送ローラ１１１によって矢印１００ｂで示す方向に搬送される。
【０１４２】
図２０及び図２１に示すように、円形ディスク２１１及び円形ディスク２１２が７．５ｍｍ以上６０ｍｍ未満のずれで重ねられて挿入穴１２１に矢印１００ａで示す方向に挿入されると、１枚の円形ディスク２１１が挿入穴１２１に矢印１００ａで示す方向に挿入された場合と同様に、図２２に示すように、円形ディスク２１１の存在が時間３２１において遮光領域２１１ａで光検出部１７１に検出され、円形ディスク２１１の存在が時間３２２において遮光領域２１１ａで光検出部１７２及び光検出部１７３に検出され、円形ディスク２１１の存在が時間３２３において遮光領域２１１ａで光検出部１７４に検出される。
【０１４３】
円形ディスク２１１及び円形ディスク２１２が、搬送ローラ１１１によって矢印１００ａで示す方向に更に搬送されると、図２０及び図２１に示すように、円形ディスク２１１の存在が時間３２４において接触検出部１６０に検出される。なお、円形ディスク２１１の存在が時間３２４において接触検出部１６０に検出されたとき、円形ディスク２１２の存在が遮光領域２１２ａで光検出部１７１に検出されている。
【０１４４】
したがって、処理部は、円形ディスク２１１の存在が接触検出部１６０に検出されると、ステップＳ４０３において接触検出部１６０の出力が“Ｈｉ”であると判断し、ステップＳ４０４において光検出部１７１の出力が“Ｈｉ”であると判断して、ステップＳ４０９、ステップＳ４１０及びステップＳ４１１の処理を行うので、円形ディスク２１１及び円形ディスク２１２は、搬送ローラ１１１によって矢印１００ｂで示す方向に搬送される。
【０１４５】
図２３に示すように、円形ディスク２１１及び円形ディスク２１２が６０ｍｍ以上のずれで重ねられて挿入穴１２１に矢印１００ａで示す方向に挿入されると、１枚の円形ディスク２１１が挿入穴１２１に矢印１００ａで示す方向に挿入された場合と同様に、図２４に示すように、円形ディスク２１１の存在が時間３３１において遮光領域２１１ａで光検出部１７１に検出され、円形ディスク２１１の存在が時間３３２において遮光領域２１１ａで光検出部１７２及び光検出部１７３に検出され、円形ディスク２１１の存在が時間３３３において遮光領域２１１ａで光検出部１７４に検出される。
【０１４６】
円形ディスク２１１及び円形ディスク２１２が搬送ローラ１１１によって矢印１００ａで示す方向に更に搬送されると、円形ディスク２１１の存在が時間３３４において透光領域２１１ｂで光検出部１７１に検出されなくなった後、円形ディスク２１１の存在が時間３３５において接触検出部１６０に検出され、円形ディスク２１１の存在が時間３３６において接触検出部１６０に検出されなくなって、図２３に示すようになる。
【０１４７】
円形ディスク２１１及び円形ディスク２１２が搬送ローラ１１１によって矢印１００ａで示す方向に更に搬送されると、円形ディスク２１１の存在が時間３３７において遮光領域２１１ａで光検出部１７１に検出され、円形ディスク２１２の存在が時間３３８において透光領域２１２ｂで光検出部１７１に検出されなくなった後、図２５に示すように円形ディスク２１２の存在が時間３３９において接触検出部１６０に検出される。
【０１４８】
円形ディスク２１２の存在が接触検出部１６０に検出されると、処理部は、ステップＳ４０５において接触検出部１６０の出力が２回“Ｈｉ”になったと判断して、ステップＳ４０９、ステップＳ４１０及びステップＳ４１１の処理を行うので、円形ディスク２１１及び円形ディスク２１２は、搬送ローラ１１１によって矢印１００ｂで示す方向に搬送される。
【０１４９】
以上に説明したように、ディスク搬送装置１００は、図２６に示すように、円形ディスク２１１及び円形ディスク２１２が７．５ｍｍ未満のずれで重ねられて挿入穴１２１に矢印１００ａで示す方向に挿入されると、ステップＳ４０６においてモータの正転の開始から第１設定時間を経過したと判断し、円形ディスク２１１及び円形ディスク２１２が７．５ｍｍ以上６０ｍｍ未満のずれで重ねられて挿入穴１２１に矢印１００ａで示す方向に挿入されると、ステップＳ４０４において光検出部１７１の出力が“Ｈｉ”であると判断し、円形ディスク２１１及び円形ディスク２１２が６０ｍｍ以上のずれで重ねられて挿入穴１２１に矢印１００ａで示す方向に挿入されると、ステップＳ４０５において接触検出部１６０の出力が２回“Ｈｉ”になったと判断して、円形ディスク２１１及び円形ディスク２１２を搬送ローラ１１１によって矢印１００ｂで示す方向に搬送する。
【０１５０】
図２７及び図２８に示すように、小径ディスク２２１及び小径ディスク２２２が挿入穴１２１の一端部１２１ａから他端部１２１ｂに掛けて並べられて挿入穴１２１に矢印１００ａで示す方向に挿入され、時間３４１において遮光領域２２１ａ及び遮光領域２２２ａで光検出部１７２及び光検出部１７３に存在が検出されると、処理部が、ステップＳ４０１において光検出部１７２及び光検出部１７３の出力が“Ｈｉ”であると判断して、ステップＳ４０２においてモータの正転を開始するので、搬送ローラ１１１が回転を開始する。
【０１５１】
なお、処理部は、ステップＳ４０２においてモータの正転を開始した後、ステップＳ４０３、ステップＳ４１２、ステップＳ４１４及びステップＳ４１５の処理を繰り返す。
【０１５２】
小径ディスク２２１及び小径ディスク２２２が挿入穴１２１に更に矢印１００ａで示す方向に挿入されて小径ディスク２２１及び小径ディスク２２２と搬送ローラ１１１とが互いに接触すると、小径ディスク２２１及び小径ディスク２２２は、搬送ローラ１１１によって矢印１００ａで示す方向に搬送されるので、レバー部材１５２の軸部１５２ａとレバー部材１５３の軸部１５３ａとに接触して、レバー部材１５２及びレバー部材１５３が互いに離隔する方向にレバー部材１５２及びレバー部材１５３を移動させる。
【０１５３】
小径ディスク２２１及び小径ディスク２２２は、搬送ローラ１１１によって矢印１００ａで示す方向に更に搬送されると、時間３４２において遮光領域２２１ａ及び遮光領域２２２ａで光検出部１７１に存在が検出され、時間３４３において遮光領域２２１ａ及び遮光領域２２２ａで光検出部１７４に存在が検出される。
【０１５４】
小径ディスク２２１及び小径ディスク２２２の存在が遮光領域２２１ａ及び遮光領域２２２ａで光検出部１７４に検出されると、処理部は、ステップＳ４０３、ステップＳ４１２、ステップＳ４１３及びステップＳ４１５の処理を繰り返す。
【０１５５】
小径ディスク２２１及び小径ディスク２２２は、搬送ローラ１１１によって矢印１００ａで示す方向に更に搬送されると、時間３４４において図１０に示すように接触検出部１６０に存在が検出される。
【０１５６】
処理部は、小径ディスク２２１及び小径ディスク２２２の存在が接触検出部１６０に検出されると、ステップＳ４０３において接触検出部１６０の出力が“Ｈｉ”であると判断し、ステップＳ４０４において光検出部１７１の出力が“Ｈｉ”であると判断して、ステップＳ４０９、ステップＳ４１０及びステップＳ４１１の処理を行って、小径ディスク２２１及び小径ディスク２２２を搬送ローラ１１１によって矢印１００ｂで示す方向に搬送する。
【０１５７】
なお、図２９に示すように、小径ディスク２２１及び小径ディスク２２２に代えて、小径ディスク２２１及び小径ディスク２２３が挿入穴１２１の一端部１２１ａから他端部１２１ｂに掛けて並べられて挿入穴１２１に矢印１００ａで示す方向に挿入されても、処理部は、ステップＳ４０４において光検出部１７１の出力が“Ｈｉ”であると判断して、ステップＳ４０９、ステップＳ４１０及びステップＳ４１１の処理を行って、小径ディスク２２１及び小径ディスク２２２を搬送ローラ１１１によって矢印１００ｂで示す方向に搬送する。
【０１５８】
また、図１１に示すように、小径ディスク２２１及び小径ディスク２２２に代えて、小径ディスク２２３及び小径ディスク２２４が挿入穴１２１の一端部１２１ａから他端部１２１ｂに掛けて並べられて挿入穴１２１に矢印１００ａで示す方向に挿入されると、処理部は、ステップＳ４０４において光検出部１７１の出力が“Ｌｏ”であり光検出部１７２及び光検出部１７３の両方の出力が“Ｌｏ”であると判断して、ステップＳ４０９、ステップＳ４１０及びステップＳ４１１の処理を行って、小径ディスク２２１及び小径ディスク２２２を搬送ローラ１１１によって矢印１００ｂで示す方向に搬送する。
【０１５９】
図３０及び図３１に示すように、１枚の小径ディスク２２１が挿入穴１２１の略中央で挿入穴１２１に矢印１００ａで示す方向に挿入されて時間３５１において遮光領域２２１ａで光検出部１７１に存在が検出されると、処理部が、ステップＳ４０１において光検出部１７１の出力が“Ｈｉ”であると判断して、ステップＳ４０２においてモータの正転を開始するので、搬送ローラ１１１が回転を開始する。
【０１６０】
なお、処理部は、ステップＳ４０２においてモータの正転を開始した後、ステップＳ４０３、ステップＳ４１２、ステップＳ４１４及びステップＳ４１５の処理を繰り返す。
【０１６１】
小径ディスク２２１が挿入穴１２１に更に矢印１００ａで示す方向に挿入されて小径ディスク２２１と搬送ローラ１１１とが互いに接触すると、小径ディスク２２１は、搬送ローラ１１１によって矢印１００ａで示す方向に搬送されるので、レバー部材１５２の軸部１５２ａとレバー部材１５３の軸部１５３ａとに接触して、レバー部材１５２及びレバー部材１５３が互いに離隔する方向にレバー部材１５２及びレバー部材１５３を移動させる。
【０１６２】
小径ディスク２２１は、搬送ローラ１１１によって矢印１００ａで示す方向に更に搬送されると、時間３５２において遮光領域２２１ａで光検出部１７２及び光検出部１７３に存在が検出され、時間３５３において遮光領域２２１ａで光検出部１７４に存在が検出される。
【０１６３】
小径ディスク２２１の存在が遮光領域２２１ａで光検出部１７４に検出されると、処理部は、ステップＳ４０３、ステップＳ４１２、ステップＳ４１３及びステップＳ４１５の処理を繰り返す。
【０１６４】
小径ディスク２２１は、搬送ローラ１１１によって矢印１００ａで示す方向に更に搬送されると、時間３５４において透光領域２２１ｂで光検出部１７１に存在が検出されなくなった後、図３２に示すように時間３５５において遮光領域２２１ａで再び光検出部１７１に存在が検出される。
【０１６５】
処理部は、小径ディスク２２１の存在が再び光検出部１７１に検出されると、ステップＳ４１５において光検出部１７１の出力が２回“Ｈｉ”になったと判断して、ステップＳ４０９、ステップＳ４１０及びステップＳ４１１の処理を行って、小径ディスク２２１を搬送ローラ１１１によって矢印１００ｂで示す方向に搬送する。
【０１６６】
図３３及び図３４に示すように、１枚の小径ディスク２２１が、挿入穴１２１の一端部１２１ａで挿入穴１２１に矢印１００ａで示す方向に挿入され、時間３６１において遮光領域２２１ａで光検出部１７２に存在が検出されると、処理部が、ステップＳ４０１において光検出部１７２の出力が“Ｈｉ”であると判断して、ステップＳ４０２においてモータの正転を開始するので、搬送ローラ１１１が回転を開始する。
【０１６７】
なお、処理部は、ステップＳ４０２においてモータの正転を開始した後、ステップＳ４０３、ステップＳ４１２、ステップＳ４１４及びステップＳ４１５の処理を繰り返す。
【０１６８】
小径ディスク２２１が挿入穴１２１に更に矢印１００ａで示す方向に挿入されて小径ディスク２２１と搬送ローラ１１１とが互いに接触すると、小径ディスク２２１は、搬送ローラ１１１によって矢印１００ａで示す方向に搬送されるので、レバー部材１５２の軸部１５２ａに接触して、レバー部材１５２及びレバー部材１５３が互いに離隔する方向にレバー部材１５２を移動させる。
【０１６９】
小径ディスク２２１は、搬送ローラ１１１によって矢印１００ａで示す方向に更に搬送されると、時間３６２において遮光領域２２１ａで光検出部１７１に存在が検出され、図３５に示すように時間３６３において遮光領域２２１ａで光検出部１７４に存在が検出される。
【０１７０】
処理部は、小径ディスク２２１の存在が光検出部１７４に検出されると、ステップＳ４１２において光検出部１７４の出力が“Ｈｉ”であると判断し、ステップＳ４１３において光検出部１７３の出力が“Ｈｉ”になったことがないと判断して、ステップＳ４０９、ステップＳ４１０及びステップＳ４１１の処理を行って、小径ディスク２２１を搬送ローラ１１１によって矢印１００ｂで示す方向に搬送する。
【０１７１】
なお、図３６に示すように１枚の小径ディスク２２１が挿入穴１２１の他端部１２１ｂ側で挿入穴１２１に矢印１００ａで示す方向に挿入されたときや、図３７に示すように１枚の一部が円形であるカード型ディスク２３１が光検出部１７４によって存在が検出される位置で挿入穴１２１に矢印１００ａで示す方向に挿入されたときも、１枚の小径ディスク２２１が挿入穴１２１の一端部１２１ａで挿入穴１２１に矢印１００ａで示す方向に挿入されたときと同様に、小径ディスク２２１やカード型ディスク２３１を搬送ローラ１１１によって矢印１００ｂで示す方向に搬送することができる。
【０１７２】
なお、カード型ディスク２３１は、幅が約６ｃｍであり、長さが約８ｃｍであり、遮光領域２３１ａと、穴から成る透光領域２３１ｂとが形成されている。
【０１７３】
図３８及び図３９に示すように、１枚の小径ディスク２２１が挿入穴１２１の他端部１２１ｂで挿入穴１２１に矢印１００ａで示す方向に挿入されて時間３７１において遮光領域２２１ａで光検出部１７３に存在が検出されると、処理部が、ステップＳ４０１において光検出部１７３の出力が“Ｈｉ”であると判断して、ステップＳ４０２においてモータの正転を開始するので、搬送ローラ１１１が回転を開始する。
【０１７４】
なお、処理部は、ステップＳ４０２においてモータの正転を開始した後、ステップＳ４０３、ステップＳ４１２、ステップＳ４１４及びステップＳ４１５の処理を繰り返す。
【０１７５】
小径ディスク２２１が挿入穴１２１に更に矢印１００ａで示す方向に挿入されて小径ディスク２２１と搬送ローラ１１１とが互いに接触すると、小径ディスク２２１は、搬送ローラ１１１によって矢印１００ａで示す方向に搬送されるので、レバー部材１５３の軸部１５３ａに接触して、レバー部材１５２及びレバー部材１５３が互いに離隔する方向にレバー部材１５３を移動させる。
【０１７６】
小径ディスク２２１は、搬送ローラ１１１によって矢印１００ａで示す方向に更に搬送されると、時間３７２において遮光領域２２１ａで光検出部１７１に存在が検出される。
【０１７７】
ここで、基板１４０は、レバー部材１５２の軸部１５２ａ及びレバー部材１５３の軸部１５３ａのうちの一方だけが移動するときにレバー部材１５１に係合することによってレバー部材１５１の移動を制限する移動制限部を構成しているので、小径ディスク２２１は、搬送ローラ１１１によって矢印１００ａで示す方向に搬送されると、レバー部材１５３の軸部１５３ａによって図４０に示す位置で停止させられる。
【０１７８】
そして、処理部は、時間３７３において、モータの正転が開始された時間３７１からの経過時間が第２設定時間以上になると、ステップＳ４１４においてモータの正転の開始から第２設定時間を経過したと判断して、ステップＳ４０９、ステップＳ４１０及びステップＳ４１１の処理を行って、小径ディスク２２１を搬送ローラ１１１によって矢印１００ｂで示す方向に搬送する。
【０１７９】
なお、図４１に示すように１枚のカード型ディスク２３１が挿入穴１２１の一端部１２１ａ側で挿入穴１２１に矢印１００ａで示す方向に挿入されたときや、図４２に示すように１枚のカード型ディスク２３１が挿入穴１２１の他端部１２１ｂ側で挿入穴１２１に矢印１００ａで示す方向に挿入されたときも、図３８に示すように１枚の小径ディスク２２１が挿入穴１２１の他端部１２１ｂで挿入穴１２１に矢印１００ａで示す方向に挿入されたときと同様に、カード型ディスク２３１を搬送ローラ１１１によって矢印１００ｂで示す方向に搬送することができる。
【０１８０】
また、図４３に示すように、１枚のカード型ディスク２３１が挿入穴１２１の一端部１２１ａで挿入穴１２１に矢印１００ａで示す方向に挿入されると、カード型ディスク２３１は、レバー部材１５２の軸部１５２ａに接触して、レバー部材１５２を矢印１２０ａで示す方向に押す。
【０１８１】
しかしながら、レバー部材１５２が、基板１４０によって矢印１２０ａで示す方向への移動を制限されているので、カード型ディスク２３１は、レバー部材１５２の軸部１５２ａに接触したまま矢印１００ａで示す方向に移動することができない。
【０１８２】
同様に、図４４に示すように、１枚のカード型ディスク２３１が挿入穴１２１の他端部１２１ｂで挿入穴１２１に矢印１００ａで示す方向に挿入されると、カード型ディスク２３１は、レバー部材１５３の軸部１５３ａに接触して、レバー部材１５２を矢印１２０ｂで示す方向に押す。
【０１８３】
しかしながら、レバー部材１５３が、基板１４０によって矢印１２０ｂで示す方向への移動を制限されているので、カード型ディスク２３１は、レバー部材１５３の軸部１５３ａに接触したまま矢印１００ａで示す方向に移動することができない。
【０１８４】
また、図７、図８及び図９に示すように、１枚のカード型ディスク２４１が挿入穴１２１の何れかの位置で挿入穴１２１に矢印１００ａで示す方向に挿入されると、カード型ディスク２４１は、レバー部材１５２の軸部１５２ａ及びレバー部材１５３の軸部１５３ａのうち少なくとも一方に接触して、レバー部材１５２及びレバー部材１５３のうち少なくとも一方を矢印１００ａで示す方向に押す。
【０１８５】
しかしながら、レバー部材１５２及びレバー部材１５３が、基板１４０によって矢印１００ａで示す方向への移動を制限されているので、カード型ディスク２４１は、レバー部材１５２の軸部１５２ａ及びレバー部材１５３の軸部１５３ａのうち少なくとも一方に接触したまま矢印１００ａで示す方向に移動することができない。
【０１８６】
以上に説明したように、処理部が、接触検出部１６０及び光検出部１７１が同時にディスクの存在を検出した場合にディスクが挿入穴１２１に複数枚挿入されたと判定するので、複数ディスク判定装置１２０は、従来と比較して小さいずれで複数枚の円形ディスクが挿入されたときでも円形ディスクが複数枚挿入されたと判定することができる。
【０１８７】
また、処理部は、接触検出部１６０がディスクの存在を複数回検出した場合にディスクが挿入穴１２１に複数枚挿入されたと判定するので、複数ディスク判定装置１２０は、接触検出部１６０がディスクの存在を複数回検出した場合にディスクが挿入穴１２１に複数枚挿入されたと処理部が判定しない場合と比較して、大きいずれで複数枚の円形ディスクが挿入されたときでも円形ディスクが複数枚挿入されたと判定することができる。
【０１８８】
なお、処理部は、本実施の形態において、接触検出部１６０がディスクの存在を複数回検出した場合にディスクが挿入穴１２１に複数枚挿入されたと判定するようになっていたが、本発明によれば、接触検出部１６０がディスクの存在を複数回検出した場合にディスクが挿入穴１２１に複数枚挿入されたと判定するようになっていなくても良い。
【０１８９】
接触検出部１６０がディスクの存在を複数回検出した場合にディスクが挿入穴１２１に複数枚挿入されたと処理部が判定するようになっていない場合、複数ディスク判定装置１２０は、図２６に示すように、６０ｍｍ未満のずれで複数枚の円形ディスクが挿入されたときに円形ディスクが複数枚挿入されたと判定することができる。
【０１９０】
また、複数ディスク判定装置１２０は、挿入穴１２１の一端部１２１ａ側及び他端部１２１ｂ側からレバー部材１５２の軸部１５２ａ及びレバー部材１５３の軸部１５３ａによってディスクに接触するので、軸部１５２ａ及び軸部１５３ａによってディスクを案内することができ、軸部１５２ａ及び軸部１５３ａを有していない場合と比較して処理部による判定の正確さを向上することができる。
【０１９１】
また、複数ディスク判定装置１２０は、挿入穴１２１の一端部１２１ａ及び他端部１２１ｂをディスクが通過するときのレバー部材１５１の存在を検出する位置に検出器１６１が配置されているので、挿入穴１２１の一端部１２１ａをディスクが通過するときの軸部１５２ａの存在を検出する検出器と、挿入穴１２１の他端部１２１ｂをディスクが通過するときの軸部１５３ａの存在を検出する検出器とを別々に備える場合と比較して検出器の個数を減少させることができる。
【０１９２】
また、ディスク搬送装置１００は、従来と比較して小さいずれで複数枚の円形ディスクが挿入されたときでも搬送ローラ１１１によるディスクの搬入を処理部が停止し、処理部が搬送ローラ１１１にディスクを搬出させるので、挿入された複数枚の円形ディスクが挿入穴１２１を通過することを防止することができ、挿入された複数枚の円形ディスクを使用者に戻すことができる。
【０１９３】
また、ディスク搬送装置１００は、ディスク通過部１３１の通過溝１３１ｃ及びディスク通過部１３２の通過溝１３２ｃを通過するディスクの厚み方向における通過溝１３１ｃ及び通過溝１３２ｃの長さ１３１ｄ及び長さ１３１ｄがディスクの厚みの２倍より小さいので、円形ディスクが挿入穴１２１に複数枚挿入されたと処理部が判定できない程度に小さいずれで複数枚の円形ディスクが挿入されたときでも、挿入穴１２１に複数枚挿入された円形ディスクが通過溝１３１ｃ及び通過溝１３２ｃを通過することをディスク通過部１３１及びディスク通過部１３２によって防止することができる。
【０１９４】
更に、ディスク搬送装置１００は、モータの正転が開始された時間からの経過時間が第１設定時間以上になった場合に搬送ローラ１１１によるディスクの搬入を処理部が停止し、搬送ローラ１１１にディスクを処理部が搬出させるので、円形ディスクが挿入穴１２１に複数枚挿入されたと処理部が判定できない程度に小さいずれで複数枚の円形ディスクが挿入されたときでも、挿入穴１２１に複数枚挿入された円形ディスクが挿入穴１２１を通過することを防止することができ、挿入穴１２１に複数枚挿入された円形ディスクを使用者に戻すことができる。
【０１９５】
また、ディスク搬送装置１００は、図１０及び図２９に示すように、小径ディスク２２１の存在を接触検出部１６０が検出するときの小径ディスク２２１の遮光領域２２１ａに対向する位置に発光素子１７１ａが配置されているので、小径ディスク２２１を含む複数枚の小径ディスクが挿入されたときに、挿入された複数枚の小径ディスクが挿入穴１２１を通過することを防止することができる。
【０１９６】
また、ディスク搬送装置１００は、図１１に示すように、接触検出部１６０がディスクの存在を検出したときに光検出部１７１と、光検出部１７２及び光検出部１７３のうち少なくとも一方とがディスクの存在を検出しない場合に、処理部が搬送ローラ１１１によるディスクの搬入を停止して搬送ローラ１１１にディスクを搬出させるので、小径ディスク２２３及び小径ディスク２２４が挿入されたときに、挿入された小径ディスク２２３及び小径ディスク２２４が挿入穴１２１を通過することを防止することができ、挿入された小径ディスク２２３及び小径ディスク２２４を使用者に戻すことができる。
【０１９７】
また、ディスク搬送装置１００は、接触検出部１６０がディスクの存在を検出せずに光検出部１７１がディスクの存在を複数回検出した場合に搬送ローラ１１１によるディスクの搬入を処理部が停止し、挿入されたディスクを処理部が搬送ローラ１１１に搬出させるので、挿入穴１２１の略中央で挿入穴１２１に挿入された小径ディスク２２１が挿入穴１２１を通過することを防止することができ、挿入穴１２１に挿入された小径ディスク２２１を使用者に戻すことができる。
【０１９８】
また、ディスク搬送装置１００は、光検出部１７２及び光検出部１７３の少なくとも一方がディスクの存在を検出せずに光検出部１７４がディスクの存在を検出した場合に搬送ローラ１１１によるディスクの搬入を処理部が停止し、処理部が搬送ローラ１１１にディスクを搬出させるので、小径ディスク２２１やカード型ディスク２３１が挿入穴１２１の一端部１２１ａ側や、他端部１２１ｂ側に挿入されたときに、挿入された小径ディスク２２１やカード型ディスク２３１が挿入穴１２１を通過することを防止することができ、挿入された小径ディスク２２１やカード型ディスク２３１を使用者に戻すことができる。
【０１９９】
また、ディスク搬送装置１００は、レバー部材１５２の軸部１５２ａ及びレバー部材１５３の軸部１５３ａのうちの一方だけが移動するときに基板１４０がレバー部材１５１の移動を制限するので、小径ディスク２２１が挿入穴１２１の他端部１２１ｂを通過することを防止することができ、カード型ディスク２３１が挿入穴１２１の一端部１２１ａ及び他端部１２１ｂを通過することを防止することができる。
【０２００】
更に、ディスク搬送装置１００は、モータの正転が開始された時間からの経過時間が第２設定時間以上になったときに光検出部１７４がディスクの存在を検出しなかった場合に搬送ローラ１１１によるディスクの搬入を処理部が停止し、処理部が搬送ローラ１１１にディスクを搬出させるので、挿入穴１２１の他端部１２１ｂに挿入された小径ディスク２２１や、挿入穴１２１の一端部１２１ａ側及び他端部１２１ｂ側に挿入されたカード型ディスク２３１が挿入穴１２１を通過することを防止することができ、挿入穴１２１の他端部１２１ｂに挿入された小径ディスク２２１や、挿入穴１２１の一端部１２１ａ側及び他端部１２１ｂ側に挿入されたカード型ディスク２３１を使用者に戻すことができる。
【０２０１】
また、ディスク搬送装置１００は、挿入穴１２１の矢印１２０ａ及び矢印１２０ｂで示す幅方向に略直交する矢印１００ａで示す方向へのレバー部材１５２の軸部１５２ａ及びレバー部材１５３の軸部１５３ａの移動を基板１４０が制限するので、カード型ディスク２４１が挿入穴１２１を通過することを防止することができる。
【０２０２】
また、ディスク搬送装置１００は、接触検出部１６０がディスクの存在を検出したときに光検出部１７１がディスクの存在を検出しないで光検出部１７２がディスクの存在を検出する場合に、処理部が搬送ローラ１１１にディスクを搬入させるので、１枚の円形ディスク２１１が挿入されたときに、挿入された円形ディスク２１１に挿入穴１２１を通過させることができる。
【０２０３】
また、搬送ローラ１１１がレバー部材１５２の軸部１５２ａ、レバー部材１５３の軸部１５３ａ、発光素子１７１ａ、発光素子１７２ａ及び発光素子１７３ａに対してディスクの矢印１００ａで示す挿入方向の下流側に配置されていたので、ディスク搬送装置１００は、搬送ローラ１１１が軸部１５２ａ、軸部１５３ａ、発光素子１７１ａ、発光素子１７２ａ及び発光素子１７３ａの少なくとも１つに対してディスクの矢印１００ａで示す挿入方向の上流側に配置される場合と比較して、ディスクと搬送ローラ１１１とが接触しなくなる前の早い時期に搬送ローラ１１１によるディスクの搬送を処理部に制御させることができる。
【０２０４】
また、ディスク搬送装置１００を備えた図示していないディスク装置は、従来と比較して小さいずれで複数枚の円形ディスク２１１が挿入されたときでも搬送ローラ１１１によるディスクの搬入を処理部が停止するので、挿入された複数枚の円形ディスクが挿入穴１２１を通過することを防止することができ、誤動作や故障の発生を防止することができる。
【０２０５】
なお、ディスク搬送装置１００は、本実施の形態において、小径ディスクやカード型ディスクの挿入を防止する構成を有していたが、本発明によれば、小径ディスクやカード型ディスクの挿入を防止する構成を有していなくても良い。
【０２０６】
なお、ディスク搬送装置１００は、本実施の形態において、１枚の円形ディスク以外のディスクが挿入穴１２１に挿入されたときに、挿入されたディスクの搬送ローラ１１１による搬入を停止し、挿入されたディスクを搬送ローラ１１１に搬出させていたが、本発明によれば、１枚の円形ディスク以外のディスクが挿入穴１２１に挿入されたときに、挿入されたディスクの搬送ローラ１１１による搬入を停止するだけで、挿入されたディスクを搬送ローラ１１１に搬出させなくても良い。
【０２０７】
（第２の実施の形態）
【０２０８】
第２の実施の形態に係るディスク搬送装置の構成について説明する。
【０２０９】
なお、本実施の形態に係るディスク搬送装置の構成は、以下に述べる構成を除いて、第１の実施の形態に係るディスク搬送装置１００（図１及び図２参照）の構成と同様であるので、ディスク搬送装置１００の構成と同様である構成については、ディスク搬送装置１００の構成と同一の符号を付して詳細な説明を省略する。
【０２１０】
図４５に示すように、本実施の形態に係るディスク搬送装置５００は、ディスク搬送装置１００において、複数ディスク判定装置１２０（図１及び図２参照）に代えて複数ディスク判定装置５２０を備えたものと同一である。
【０２１１】
複数ディスク判定装置５２０は、複数ディスク判定装置１２０において、基板１４０、レバー部材１５１、レバー部材１５２及びレバー部材１５３（図１及び図２参照）に代えて、基板５４０と、基板５４０に対して基板１３０側とは反対側に配置されたレバー部材５５１とを備えたものと同一である。
【０２１２】
ここで、基板１３０及び基板５４０は、ディスクが挿入される挿入穴１２１（図２参照）が間に形成されたディスク挿入部を構成している。
【０２１３】
また、基板５４０は、矢印１２０ａ及び矢印１２０ｂで示す方向に延在して挿入穴１２１の一端部１２１ａ（図１参照）側に配置された穴５４１が形成されている。
【０２１４】
また、レバー部材５５１は、基板５４０の穴５４１に挿入されて挿入穴１２１に突出した軸部５５１ａと、基板５４０の穴５４１に挿入された軸部５５１ｂと、検出器１６１に係合する係合部５５１ｃとを有しており、第２の弾性部材によって矢印１２０ａで示す方向に付勢されている。
【０２１５】
即ち、レバー部材５５１の軸部５５１ａは、挿入穴１２１の一端部１２１ａ側に配置されてディスクと接触状態を維持して移動するディスク接触部を構成しており、レバー部材５５１は、軸部５５１ａを有する接触部材を構成している。
【０２１６】
また、基板５４０、レバー部材５５１、第２の弾性部材及び検出器１６１は、軸部５５１ａの移動量に基づいて挿入穴１２１の矢印１２０ａ及び矢印１２０ｂで示す幅方向における一端部１２１ａを通過するディスクの存在を検出する接触検出手段としての接触検出部５６０を構成している。
【０２１７】
なお、本実施の形態に係るディスク搬送装置の動作は、ディスク搬送装置１００の動作と同様であるので説明を省略する。
【０２１８】
【発明の効果】
以上説明したように、本発明によれば、従来と比較して小さいずれで複数枚のディスクが挿入されたときでもディスクが複数枚挿入されたと判定する複数ディスク判定装置を提供することができる。
【図面の簡単な説明】
【図１】本発明の第１の実施の形態に係るディスク搬送装置の上面図
【図２】図１に示すディスク搬送装置の正面断面図
【図３】挿入穴に１枚の円形ディスクが挿入されたときの図１に示すディスク搬送装置の上面図
【図４】図１に示すディスク搬送装置のレバー部材の近傍の上面図
【図５】図１に示すディスク搬送装置の搬送ローラの近傍の上面図
【図６】（ａ）図１に示すディスク搬送装置の挿入穴の幅方向の一端部側のディスク通過部の正面断面図
（ｂ）図１に示すディスク搬送装置の挿入穴の幅方向の他端部側のディスク通過部の正面断面図
【図７】挿入穴の幅方向における略中央に１枚の長方形のカード型ディスクが挿入されたときの図１に示すディスク搬送装置の上面図
【図８】挿入穴の幅方向における一端部に１枚の長方形のカード型ディスクが挿入されたときの図１に示すディスク搬送装置の上面図
【図９】挿入穴の幅方向における他端部に１枚の長方形のカード型ディスクが挿入されたときの図１に示すディスク搬送装置の上面図
【図１０】挿入穴の幅方向における一端部から他端部に掛けて２枚の小径ディスクが並べられて挿入されたときの図１に示すディスク搬送装置の上面図
【図１１】挿入穴の幅方向における一端部から他端部に掛けて図１０に示す小径ディスクより透光領域が広い２枚の小径ディスクが並べられて挿入されたときの図１に示すディスク搬送装置の上面図
【図１２】挿入穴にディスクが挿入されたときの図１に示すディスク搬送装置の処理のフローチャート
【図１３】挿入穴に１枚の円形ディスクが挿入されたときの図３に示す状態とは異なる状態での図１に示すディスク搬送装置の上面図
【図１４】挿入穴に１枚の円形ディスクが挿入されたときの図１に示すディスク搬送装置の光検出部及び接触検出部の出力のタイミングチャート
【図１５】挿入穴に１枚の円形ディスクが挿入されたときの図３及び図１３に示す状態とは異なる状態での図１に示すディスク搬送装置の上面図
【図１６】挿入穴に１枚の円形ディスクが挿入されたときの図３、図１３及び図１５に示す状態とは異なる状態での図１に示すディスク搬送装置の上面図
【図１７】挿入穴に２枚の円形ディスクが重ねられて挿入されたときの図１に示すディスク搬送装置の上面図
【図１８】挿入穴に２枚の円形ディスクが図１７に示すずれで挿入されたときの図１に示すディスク搬送装置の光検出部及び接触検出部の出力のタイミングチャート
【図１９】挿入穴に２枚の円形ディスクが図１７に示すずれで挿入されたときの図１７に示す状態とは異なる状態での図１に示すディスク搬送装置の上面図
【図２０】挿入穴に２枚の円形ディスクが図１７に示すずれより大きいずれで挿入されたときの図１に示すディスク搬送装置の上面図
【図２１】挿入穴に２枚の円形ディスクが図２０に示すずれより大きいずれで挿入されたときの図１に示すディスク搬送装置の上面図
【図２２】挿入穴に２枚の円形ディスクが図２０に示すずれで挿入されたときの図１に示すディスク搬送装置の光検出部及び接触検出部の出力のタイミングチャート
【図２３】挿入穴に２枚の円形ディスクが図２１に示すずれより大きいずれで挿入されたときの図１に示すディスク搬送装置の上面図
【図２４】挿入穴に２枚の円形ディスクが図２３に示すずれで挿入されたときの図１に示すディスク搬送装置の光検出部及び接触検出部の出力のタイミングチャート
【図２５】挿入穴に２枚の円形ディスクが図２３に示すずれで挿入されたときの図２３に示す状態とは異なる状態での図１に示すディスク搬送装置の上面図
【図２６】挿入穴に２枚の円形ディスクが挿入されたときの２枚の円形ディスクのずれと図１に示すディスク搬送装置の処理との関係を示す図
【図２７】挿入穴の幅方向における一端部から他端部に掛けて図１０に示す２枚の小径ディスクが並べられて挿入されたときの図１０に示す状態とは異なる状態での図１に示すディスク搬送装置の上面図
【図２８】挿入穴の幅方向における一端部から他端部に掛けて図１０に示す２枚の小径ディスクが並べられて挿入されたときの図１に示すディスク搬送装置の光検出部及び接触検出部の出力のタイミングチャート
【図２９】挿入穴の幅方向における一端部から他端部に掛けて図１０に示す１枚の小径ディスクと図１１に示す１枚の小径ディスクとが並べられて挿入されたときの図１に示すディスク搬送装置の上面図
【図３０】挿入穴の幅方向における略中央に１枚の小径ディスクが挿入されたときの図１に示すディスク搬送装置の上面図
【図３１】挿入穴の幅方向における略中央に１枚の小径ディスクが挿入されたときの図１に示すディスク搬送装置の光検出部及び接触検出部の出力のタイミングチャート
【図３２】挿入穴の幅方向における略中央に１枚の小径ディスクが挿入されたときの図３０に示す状態とは異なる状態での図１に示すディスク搬送装置の上面図
【図３３】挿入穴の幅方向における一端部に１枚の小径ディスクが挿入されたときの図１に示すディスク搬送装置の上面図
【図３４】挿入穴の幅方向における一端部に１枚の小径ディスクが挿入されたときの図１に示すディスク搬送装置の光検出部及び接触検出部の出力のタイミングチャート
【図３５】挿入穴の幅方向における一端部に１枚の小径ディスクが挿入されたときの図３３に示す状態とは異なる状態での図１に示すディスク搬送装置の上面図
【図３６】挿入穴の幅方向の他端部側に１枚の小径ディスクが挿入されたときの図１に示すディスク搬送装置の上面図
【図３７】挿入穴の幅方向における略中央に一部が円形である１枚のカード型ディスクが挿入されたときの図１に示すディスク搬送装置の上面図
【図３８】挿入穴の幅方向における他端部に１枚の小径ディスクが挿入されたときの図１に示すディスク搬送装置の上面図
【図３９】挿入穴の幅方向における他端部に１枚の小径ディスクが挿入されたときの図１に示すディスク搬送装置の光検出部及び接触検出部の出力のタイミングチャート
【図４０】挿入穴の幅方向における他端部に１枚の小径ディスクが挿入されたときの図３８に示す状態とは異なる状態での図１に示すディスク搬送装置の上面図
【図４１】挿入穴の幅方向の一端部側に一部が円形である１枚のカード型ディスクが挿入されたときの図１に示すディスク搬送装置の上面図
【図４２】挿入穴の幅方向の他端部側に一部が円形である１枚のカード型ディスクが挿入されたときの図１に示すディスク搬送装置の上面図
【図４３】挿入穴の幅方向における一端部に一部が円形である１枚のカード型ディスクが挿入されたときの図１に示すディスク搬送装置の上面図
【図４４】挿入穴の幅方向における他端部に一部が円形である１枚のカード型ディスクが挿入されたときの図１に示すディスク搬送装置の上面図
【図４５】本発明の第２の実施の形態に係るディスク搬送装置の上面図
【図４６】従来のディスク搬送装置の上面図
【図４７】図４６に示すディスク搬送装置の正面断面図
【図４８】挿入穴に１枚の円形ディスクが挿入されたときの図４６に示すディスク搬送装置の上面図
【図４９】挿入穴に２枚の円形ディスクが重ねられて挿入されたときの図４６に示すディスク搬送装置の上面図
【符号の説明】
１００      ディスク搬送装置
１１１      搬送ローラ（搬送部）
１２０      複数ディスク判定装置
１２１      挿入穴
１２１ａ      一端部
１２１ｂ      他端部
１３０      基板（ディスク挿入部）
１３１      ディスク通過部
１３１ｃ      通過溝
１３２      ディスク通過部
１３２ｃ      通過溝
１４０      基板（ディスク挿入部、移動制限部、直交方向移動制限部）
１５１      レバー部材（係合部材）
１５２      レバー部材（接触部材、第１接触部材）
１５２ａ      軸部（ディスク接触部、第１接触部）
１５３      レバー部材（接触部材、第２接触部材）
１５３ａ      軸部（ディスク接触部、第２接触部）
１６０      接触検出部（接触検出手段）
１６１      検出器
１７１      光検出部（透光領域光検出手段）
１７１ａ      発光素子（透光領域発光部）
１７２      光検出部（端側光検出手段）
１７２ａ      発光素子（端側発光部）
１７３      光検出部（端側光検出手段）
１７３ａ      発光素子（端側発光部）
１７４      光検出部（挿入側光検出手段）
１７４ａ      発光素子（挿入側発光部）
２１１      円形ディスク（ディスク）
２１１ａ      遮光領域
２１１ｂ      透光領域
２１２      円形ディスク（ディスク）
２１２ａ      遮光領域
２１２ｂ      透光領域
２２１      小径ディスク（ディスク）
２２１ａ      遮光領域
２２１ｂ      透光領域
２２２      小径ディスク（ディスク）
２２２ａ      遮光領域
２２２ｂ      透光領域
２２３      小径ディスク（ディスク）
２２３ａ      遮光領域
２２３ｂ、２２３ｃ      透光領域
２２４      小径ディスク（ディスク）
２２４ａ      遮光領域
２２４ｂ、２２４ｃ      透光領域
２３１      カード型ディスク（ディスク）
２３１ａ      遮光領域
２３１ｂ      透光領域
２４１      カード型ディスク（ディスク）
２４１ａ      遮光領域
２４１ｂ      透光領域
５００      ディスク搬送装置
５２０      複数ディスク判定装置
５４０      基板（ディスク挿入部）
５５１      レバー部材（接触部材）
５５１ａ      軸部（ディスク接触部）
５６０      接触検出部（接触検出手段）
【図１】
2004185778.tif 000003
【図２】
2004185778.tif 000004
【図３】
2004185778.tif 000005
【図４】
2004185778.tif 000006
【図５】
2004185778.tif 000007
【図６】
2004185778.tif 000008
【図７】
2004185778.tif 000009
【図８】
2004185778.tif 000010
【図９】
2004185778.tif 000011
【図１０】
2004185778.tif 000012
【図１１】
2004185778.tif 000013
【図１２】
2004185778.tif 000014
【図１３】
2004185778.tif 000015
【図１４】
2004185778.tif 000016
【図１５】
2004185778.tif 000017
【図１６】
2004185778.tif 000018
【図１７】
2004185778.tif 000019
【図１８】
2004185778.tif 000020
【図１９】
2004185778.tif 000021
【図２０】
2004185778.tif 000022
【図２１】
2004185778.tif 000023
【図２２】
2004185778.tif 000024
【図２３】
2004185778.tif 000025
【図２４】
2004185778.tif 000026
【図２５】
2004185778.tif 000027
【図２６】
2004185778.tif 000028
【図２７】
2004185778.tif 000029
【図２８】
2004185778.tif 000030
【図２９】
2004185778.tif 000031
【図３０】
2004185778.tif 000032
【図３１】
2004185778.tif 000033
【図３２】
2004185778.tif 000034
【図３３】
2004185778.tif 000035
【図３４】
2004185778.tif 000036
【図３５】
2004185778.tif 000037
【図３６】
2004185778.tif 000038
【図３７】
2004185778.tif 000039
【図３８】
2004185778.tif 000040
【図３９】
2004185778.tif 000041
【図４０】
2004185778.tif 000042
【図４１】
2004185778.tif 000043
【図４２】
2004185778.tif 000044
【図４３】
2004185778.tif 000045
【図４４】
2004185778.tif 000046
【図４５】
2004185778.tif 000047
【図４６】
2004185778.tif 000048
【図４７】
2004185778.tif 000049
【図４８】
2004185778.tif 000050
【図４９】
2004185778.tif 000051